(57)【特許請求の範囲】
【請求項１】
無線ＬＡＮシステムにおいてモバイルステーションによりフレームを処理する方法であって、
前記方法は、
前記モバイルステーションにより、第１の長さを有し、かつ、前記モバイルステーションを識別するＡＩＤ（ａｓｓｏｃｉａｔｉｏｎ）に関する情報をアクセスポイントから受信することと、
前記モバイルステーションにより、第１のＰＰＤＵ（ＰＬＣＰ（Ｐｈｙｓｉｃａｌ  Ｌａｙｅｒ  Ｃｏｎｖｅｒｇｅｎｃｅ  Ｐｒｏｃｅｄｕｒｅ）  Ｐｒｏｔｏｃｏｌ  Ｄａｔａ  Ｕｎｉｔ）を前記アクセスポイントから受信することであって、前記第１のＰＰＤＵは、第１のＶＨＴ−ＳＩＧ（Ｖｅｒｙ  Ｈｉｇｈ  Ｔｈｒｏｕｇｈｐｕｔ−Ｓｉｇｎａｌ）フィールドと第１のＰＳＤＵ（ＰＬＣＰ  Ｓｅｒｖｉｃｅ  Ｄａｔａ  Ｕｎｉｔ）とを含む、ことと
を含み、
前記第１のＶＨＴ−ＳＩＧフィールドは、第１の受信対象指示子と第１のＩＤフィールドとを含み、前記第１の受信対象指示子は、前記第１のＰＰＤＵが前記モバイルステーションに宛てられたものであることを示す第１の値に設定されており、前記第１のＩＤフィールドは、前記ＡＩＤから形成された部分ＡＩＤを示し、前記第１の長さより短い第２の長さを有する、方法。
【請求項２】
前記モバイルステーションにより、第２のＰＰＤＵを前記アクセスポイントに送信することをさらに含み、
前記第２のＰＰＤＵは、第２のＶＨＴ−ＳＩＧフィールドと第２のＰＳＤＵとを含み、
前記第２のＶＨＴ−ＳＩＧフィールドは、第２の受信対象指示子と第２のＩＤフィールドとを含み、前記第２の受信対象指示子は、前記第２のＰＰＤＵが前記アクセスポイントに宛てられたものであることを示す第２の値に設定されており、前記第２のＩＤフィールドは、前記アクセスポイントを識別するＢＳＳＩＤ（Ｂａｓｉｃ  Ｓｅｒｖｉｃｅ  Ｓｅｔ  Ｉｄｅｎｔｉｆｉｅｒ）の一部を示す、請求項１に記載の方法。
【請求項３】
前記第１の値は、前記第２の値と異なる、請求項２に記載の方法。
【請求項４】
ＳＵ−ＭＩＭＯ（ｓｉｎｇｌｅ−ｕｓｅｒ  ｍｕｌｔｉｐｌｅ  ｉｎｐｕｔ  ｍｕｌｔｉｐｌｅ  ｏｕｔｐｕｔ）を適応することにより前記第１のＰＰＤＵが受信され、前記第２のＰＰＤＵが送信される、請求項２または請求項３に記載の方法。
【請求項５】
前記第１の長さは１６ビットであり、前記第２の長さは９ビットである、請求項１〜３のいずれか一項に記載の方法。
【請求項６】
無線ＬＡＮシステムにおいてフレームを処理するモバイルステーションであって、
前記モバイルステーションは、
ＰＰＤＵ（ＰＬＣＰ（Ｐｈｙｓｉｃａｌ  Ｌａｙｅｒ  Ｃｏｎｖｅｒｇｅｎｃｅ  Ｐｒｏｃｅｄｕｒｅ）  Ｐｒｏｔｏｃｏｌ  Ｄａｔａ  Ｕｎｉｔ）を送信または受信するように構成されたトランシーバと、
前記トランシーバと機能的に連結されたプロセッサと
を含み、
前記プロセッサは、
前記トランシーバを介して、第１の長さを有し、かつ、前記モバイルステーションを識別するＡＩＤ（ａｓｓｏｃｉａｔｉｏｎ）に関する情報をアクセスポイントから受信することと、
前記トランシーバを介して、第１のＰＰＤＵを前記アクセスポイントから受信することであって、前記第１のＰＰＤＵは、第１のＶＨＴ−ＳＩＧ（Ｖｅｒｙ  Ｈｉｇｈ  Ｔｈｒｏｕｇｈｐｕｔ−Ｓｉｇｎａｌ）フィールドと第１のＰＳＤＵ（ＰＬＣＰ  Ｓｅｒｖｉｃｅ  Ｄａｔａ  Ｕｎｉｔ）とを含む、ことと
を実行するように構成され、
前記第１のＶＨＴ−ＳＩＧフィールドは、第１の受信対象指示子と第１のＩＤフィールドとを含み、前記第１の受信対象指示子は、前記第１のＰＰＤＵが前記モバイルステーションに宛てられたものであることを示す第１の値に設定されており、前記第１のＩＤフィールドは、前記ＡＩＤから形成された部分ＡＩＤを示し、前記第１の長さより短い第２の長さを有する、モバイルステーション。
【請求項７】
前記プロセッサは、前記トランシーバを介して、第２のＰＰＤＵを前記アクセスポイントに送信するように構成され、
前記第２のＰＰＤＵは、第２のＶＨＴ−ＳＩＧフィールドと第２のＰＳＤＵとを含み、
前記第２のＶＨＴ−ＳＩＧフィールドは、第２の受信対象指示子と第２のＩＤフィールドとを含み、前記第２の受信対象指示子は、前記第２のＰＰＤＵが前記アクセスポイントに宛てられたものであることを示す第２の値に設定されており、前記第２のＩＤフィールドは、前記アクセスポイントを識別するＢＳＳＩＤ（Ｂａｓｉｃ  Ｓｅｒｖｉｃｅ  Ｓｅｔ  Ｉｄｅｎｔｉｆｉｅｒ）の一部を示す、請求項６に記載のモバイルステーション。
【請求項８】
無線ＬＡＮシステムにおいてアクセスポイントによりフレームを送信する方法であって、
前記方法は、
前記アクセスポイントにより、モバイルステーションに、第１の長さを有し、かつ、前記モバイルステーションを識別するＡＩＤ（ａｓｓｏｃｉａｔｉｏｎ）に関する情報を送信することと、
前記アクセスポイントにより、前記モバイルステーションに、第１のＰＰＤＵ（ＰＬＣＰ（Ｐｈｙｓｉｃａｌ  Ｌａｙｅｒ  Ｃｏｎｖｅｒｇｅｎｃｅ  Ｐｒｏｃｅｄｕｒｅ）  Ｐｒｏｔｏｃｏｌ  Ｄａｔａ  Ｕｎｉｔ）を送信することであって、前記第１のＰＰＤＵは、第１のＶＨＴ−ＳＩＧ（Ｖｅｒｙ  Ｈｉｇｈ  Ｔｈｒｏｕｇｈｐｕｔ−Ｓｉｇｎａｌ）フィールドと第１のＰＳＤＵ（ＰＬＣＰ  Ｓｅｒｖｉｃｅ  Ｄａｔａ  Ｕｎｉｔ）とを含む、ことと
を含み、
前記第１のＶＨＴ−ＳＩＧフィールドは、第１の受信対象指示子と第１のＩＤフィールドとを含み、前記第１の受信対象指示子は、前記第１のＰＰＤＵが前記モバイルステーションに宛てられたものであることを示す第１の値に設定されており、前記第１のＩＤフィールドは、前記ＡＩＤから形成された部分ＡＩＤを示し、前記第１の長さより短い第２の長さを有する、方法。
【請求項９】
前記アクセスポイントにより、前記モバイルステーションから第２のＰＰＤＵを受信することをさらに含み、
前記第２のＰＰＤＵは、第２のＶＨＴ−ＳＩＧフィールドと第２のＰＳＤＵとを含み、
前記第２のＶＨＴ−ＳＩＧフィールドは、第２の受信対象指示子と第２のＩＤフィールドとを含み、前記第２の受信対象指示子は、前記第２のＰＰＤＵが前記アクセスポイントに宛てられたものであることを示す第２の値に設定されており、前記第２のＩＤフィールドは、前記アクセスポイントを識別するＢＳＳＩＤ（Ｂａｓｉｃ  Ｓｅｒｖｉｃｅ  Ｓｅｔ  Ｉｄｅｎｔｉｆｉｅｒ）の一部を示す、請求項８に記載の方法。
【請求項１０】
無線ＬＡＮシステムにおいてフレームを送信するアクセスポイントであって、
前記アクセスポイントは、
ＰＰＤＵ（ＰＬＣＰ（Ｐｈｙｓｉｃａｌ  Ｌａｙｅｒ  Ｃｏｎｖｅｒｇｅｎｃｅ  Ｐｒｏｃｅｄｕｒｅ）  Ｐｒｏｔｏｃｏｌ  Ｄａｔａ  Ｕｎｉｔ）を送信または受信するように構成されたトランシーバと、
前記トランシーバと機能的に連結されたプロセッサと
を含み、
前記プロセッサは、
前記トランシーバを介して、モバイルステーションに、第１の長さを有し、かつ、前記モバイルステーションを識別するＡＩＤ（ａｓｓｏｃｉａｔｉｏｎ）に関する情報を送信することと、
前記トランシーバを介して、前記モバイルステーションに、第１のＰＰＤＵを送信することであって、前記第１のＰＰＤＵは、第１のＶＨＴ−ＳＩＧ（Ｖｅｒｙ  Ｈｉｇｈ  Ｔｈｒｏｕｇｈｐｕｔ−Ｓｉｇｎａｌ）フィールドと第１のＰＳＤＵ（ＰＬＣＰ  Ｓｅｒｖｉｃｅ  Ｄａｔａ  Ｕｎｉｔ）とを含む、ことと
を実行するように構成され、
前記第１のＶＨＴ−ＳＩＧフィールドは、第１の受信対象指示子と第１のＩＤフィールドとを含み、前記第１の受信対象指示子は、前記第１のＰＰＤＵが前記モバイルステーションに宛てられたものであることを示す第１の値に設定されており、前記第１のＩＤフィールドは、前記ＡＩＤから形成された部分ＡＩＤを示し、前記第１の長さより短い第２の長さを有する、アクセスポイント。
【請求項１１】
前記プロセッサは、前記トランシーバを介して前記モバイルステーションから第２のＰＰＤＵを受信するように構成され、
前記第２のＰＰＤＵは、第２のＶＨＴ−ＳＩＧフィールドと第２のＰＳＤＵとを含み、
前記第２のＶＨＴ−ＳＩＧフィールドは、第２の受信対象指示子と第２のＩＤフィールドとを含み、前記第２の受信対象指示子は、前記第２のＰＰＤＵが前記アクセスポイントに宛てられたものであることを示す第２の値に設定されており、前記第２のＩＤフィールドは、前記アクセスポイントを識別するＢＳＳＩＤ（Ｂａｓｉｃ  Ｓｅｒｖｉｃｅ  Ｓｅｔ  Ｉｄｅｎｔｉｆｉｅｒ）の一部を示す、請求項１０に記載のアクセスポイント。
【発明の詳細な説明】
【技術分野】
【０００１】
本発明は、無線通信に関し、より詳しくは、無線ＬＡＮシステムにおけるフレーム送信方法及び装置に関する。    
【背景技術】
【０００２】
最近、情報通信技術の発展とともに多様な無線通信技術が開発されている。このうち無線ＬＡＮ(ＷＬＡＮ)は、無線周波数技術に基づいて個人携帯用情報端末機(Ｐｅｒｓｏｎａｌ Ｄｉｇｉｔａｌ Ａｓｓｉｓｔａｎｔ；ＰＤＡ)、ラップトップコンピュータ、携帯型マルチメディアプレーヤ(Ｐｏｒｔａｂｌｅ Ｍｕｌｔｉｍｅｄｉａ Ｐｌａｙｅｒ；ＰＭＰ)などのような携帯型端末機を用いて家庭や企業又は特定サービス提供地域で無線へインターネットに接続することができるようにする技術である。
【０００３】
ＷＬＡＮ技術の標準化機構であるＩＥＥＥ(Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ)８０２が１９８０年２月に設立された以来、多くの標準化作業が進行されている。初期のＷＬＡＮ技術は、ＩＥＥＥ８０２.１１を介して２.４ＧＨｚ周波数を使用し、周波数ホッピング、帯域拡散、赤外線通信などで１〜２Ｍｂｐｓの速度をサポートした以来、最近にはＯＦＤＭ(Ｏｒｔｈｏｇｏｎａｌ Ｆｒｅｑｕｅｎｃｙ Ｄｉｖｉｓｉｏｎ Ｍｕｌｔｉｐｌｅｘ)を適用して最大５４Ｍｂｐｓの速度をサポートすることができる。その他、ＩＥＥＥ８０２.１１ではＱｏＳ(Ｑｕａｌｉｔｙ ｆｏｒ Ｓｅｒｖｉｃｅ)の向上、アクセスポイント(ＡｃｃｅｓｓＰｏｉｎｔ)プロトコル互換、セキュリティ強化(Ｓｅｃｕｒｉｔｙ Ｅｎｈａｎｃｅｍｅｎｔ)、無線リソース測定(Ｒａｄｉｏ Ｒｅｓｏｕｒｃｅ ｍｅａｓｕｒｅｍｅｎｔ)、車両環境のための無線接続(ＷｉｒｅｌｅｓｓＡｃｃｅｓｓ Ｖｅｈｉｃｕｌａｒ Ｅｎｖｉｒｏｎｍｅｎｔ)、速いローミング(Ｆａｓｔ Ｒｏａｍｉｎｇ)、メッシュネットワーク(ＭｅｓｈＮｅｔｗｏｒｋ)、外部ネットワークとの相互作用(Ｉｎｔｅｒｗｏｒｋｉｎｇ ｗｉｔｈ Ｅｘｔｅｒｎａｌ Ｎｅｔｗｏｒｋ)、無線ネットワーク管理(Ｗｉｒｅｌｅｓｓ ｎｅｔｗｏｒｋ Ｍａｎａｇｅｍｅｎｔ)等、多様な技術の標準を実用化又は開発中である。また、無線ＬＡＮで脆弱点と指摘されている通信速度に対する限界を克服するために、比較的最近に制定された技術規格としてＩＥＥＥ８０２.１１ｎがある。ＩＥＥＥ８０２.１１ｎは、ネットワークの速度と信頼性を増加させ、無線ネットワークの運営距離を拡張することを目的とする。
【０００４】
より具体的に、ＩＥＥＥ８０２.１１ｎではデータ処理速度が最大５４０Ｍｂｐｓ以上である高処理率(Ｈｉｇｈ Ｔｈｒｏｕｇｈｐｕｔ；ＨＴ)をサポートし、また、送信エラーを最小化してデータ速度を最適化するために、送信部と受信部の両方ともに多重アンテナを使用するＭＩＭＯ(Ｍｕｌｔｉｐｌｅ Ｉｎｐｕｔｓ ａｎｄ Ｍｕｌｔｉｐｌｅ Ｏｕｔｐｕｔｓ)技術に基づいている。また、この規格は、データ信頼性を高めるために重複される写本を複数個送信するコーディング方式を使用するだけでなく、速度を増加させるために直交周波数分割多重(Ｏｒｔｈｏｇｏｎａｌ Ｆｒｅｑｕｅｎｃｙ Ｄｉｖｉｓｉｏｎ Ｍｕｌｔｉｐｌｅｘ；ＯＦＤＭ)を使用することもできる。
【０００５】
ＷＬＡＮの普及が活性化され、これを用いたアプリケーションが多様化されることによって、最近にはＩＥＥＥ８０２.１１ｎがサポートするデータ処理速度より高い処理率をサポートするための新たなＷＬＡＮシステムに対する必要性が台頭されている。然しながら、ＩＥＥＥ８０２.１１ｎ媒体接続制御(Ｍｅｄｉｕｍ Ａｃｃｅｓｓ Ｃｏｎｔｒｏｌ；ＭＡＣ)/物理階層(ＰｈｙｓｉｃａｌＬａｙｅｒ；ＰＨＹ)プロトコルは、１Ｇｂｐｓ以上のスループットの提供に効果的でない。その理由は、ＩＥＥＥ８０２.１１ｎＭＡＣ/ＰＨＹプロトコルは、単一ステーション(ｓｔａｔｉｏｎ；ＳＴＡ)、即ち、一つのネットワークインターフェースカード(Ｎｅｔｗｏｒｋ Ｉｎｔｅｒｆａｃｅ Ｃａｒｄ；ＮＩＣ)を有するＳＴＡの動作のためのものであるため、既存のＩＥＥＥ８０２.１１ｎのＭＡＣ/ＰＨＹプロトコルをそのまま維持しつつフレームの処理量を増加させるほど、それによって付加的に発生するオーバーヘッド(Ｏｖｅｒｈｅａｄ)も増加するためである。結局、既存のＩＥＥＥ８０２.１１ｎＭＡＣ/ＰＨＹプロトコル、即ち、単一ＳＴＡアーキテクチャをそのまま維持しつつ無線通信ネットワークのスループット(ｔｈｒｏｕｇｈｐｕｔ)を向上させることは限界がある。
【０００６】
従って、無線通信ネットワークで１Ｇｂｐｓ以上のデータ処理速度を達成するためには既存の単一ＳＴＡアーキテクチャであるＩＥＥＥ８０２.１１ｎＭＡＣ/ＰＨＹプロトコルとは異なる新たなシステムが要求される。ＶＨＴ(ＶｅｒｙＨｉｇｈ Ｔｈｒｏｕｇｈｐｕｔ)無線ＬＡＮシステムは、ＩＥＥＥ８０２.１１ｎ無線ＬＡＮシステムの次のバージョンであり、ＭＡＣサービス接続ポイント(Ｓｅｒｖｉｃｅ Ａｃｃｅｓｓ Ｐｏｉｎｔ；ＳＡＰ)で１Ｇｂｐｓ以上のデータ処理速度をサポートするために、最近新たな提案されているＩＥＥＥ８０２.１１無線ＬＡＮシステムのうち一つである。
【０００７】
ＶＨＴ無線ＬＡＮシステムは、無線チャネルを効率的に用いるために複数のＶＨＴ ＳＴＡが同時にチャネルに接近して使用することを許容する。このために多重アンテナを用いたＭＵ−ＭＩＭＯ(ｍｕｌｔｉ ｕｓｅｒ ｍｕｌｔｉｐｌｅ ｉｎｐｕｔ ｍｕｌｔｉｐｌｅ ｏｕｔｐｕｔ)方式の送信をサポートする。ＶＨＴ ＡＰ(Ａｃｃｅｓｓ Ｐｏｉｎｔ)は、複数のＶＨＴ ＳＴＡに空間多重化(ｓｐａｔｉａｌ ｍｕｌｔｉｐｌｅｘｉｎｇ)されたデータを同時に送信するＳＤＭＡ(ｓｐａｔｉａｌ ｄｉｖｉｓｉｏｎ ｍｕｌｔｉｐｌｅ ａｃｃｅｓｓ)送信が可能である。複数のアンテナを使用して複数の空間ストリーム(ｓｐａｔｉａｌ ｓｔｒｅａｍ)を複数のＳＴＡに配分し、同時にデータを送信することによって、無線ＬＡＮシステムの全般的なスループット(ｔｈｒｏｕｇｈｐｕｔ)を上げることができる。
【０００８】
ＩＥＥＥ８０２.１１ｎ無線ＬＡＮシステム以前の無線ＬＡＮシステム(例えば、ＩＥＥＥ８０２.１１ａ/ｂ/ｇ)をサポートするレガシ(ｌｅｇａｃｙ)端末機及びＩＥＥＥ８０２.１１ｎ無線ＬＡＮシステムをサポートするＨＴ端末機は、基本的にアクティブモード(ａｃｔｉｖｅ ｍｏｄｅ)と電力節減モード(ｐｏｗｅｒ ｓａｖｅ ｍｏｄｅ；ＰＳモード)に動作することができる。電力ケーブル(ｐｏｗｅｒ ｃａｂｌｅ)などを用いて安定的に電力の供給を受ける端末の場合、安定的に電力の供給を受けるため、相対的に電力消費効率(ｐｏｗｅｒ ｃｏｎｓｕｍｐｔｉｏｎ ｅｆｆｉｃｉｅｎｃｙ)にあまり敏感でない。反面、一定の容量(ｃａｐａｃｉｔｙ)を有するバッテリで動作する端末の場合、限定された電力内で動作しなければならないため、電力消費効率に敏感である。端末の移動性側面から見ると、電力ケーブルなどを用いて安定した電力の供給が可能な端末は、移動性に制限を受けることができる。反面、バッテリから電力の供給を受ける端末は、移動性の制限をあまり受けない。端末の電力消費効率を上げるために、端末は、ＰＳモードで動作することができる。ＰＳモードに動作する端末は、限定された電力を効率的に使用するために、アウェイクモード(ａｗａｋｅｍｏｄｅ)とスリープモード(ｓｌｅｅｐ ｍｏｄｅ)との間の切り替えを繰り返すようになる。
【０００９】
電力消費効率に対する考慮は、ＶＨＴ無線ＬＡＮシステムでも相変らず重要な問題になることができる。従って、無線ＬＡＮシステムで電力消費効率側面を考慮した新たなＰＬＣＰフレームフォーマット、ＰＬＣＰフレームを介して送信する制御情報の決定及び送信方法に対する考慮が必要である。
【発明の概要】
【発明が解決しようとする課題】
【００１０】
本発明が解決しようとする課題は、無線ＬＡＮシステムで使われることができるＰＬＣＰ(ｐｈｙｓｉｃａｌ ｌａｙｅｒ ｃｏｎｖｅｒｇｅｎｃｅ ｐｒｏｃｅｄｕｒｅ)フレームの送信方法及びこれをサポートする装置を提供することである。
【００１１】
本発明が解決しようとする他の課題は、ステーションの電力節減方法及びこれをサポートする装置を提供するこよである。
【課題を解決するための手段】
【００１２】
本発明の一態様において、無線ＬＡＮシステムにおける送信ステーション(ｓｔａｔｉｏｎ)により実行されるフレーム送信方法は、ターゲットステーションに送信するＭＰＤＵ(ＭＡＣ Ｐｒｏｔｏｃｏｌ Ｄａｔａ Ｕｎｉｔ)を生成し、前記ＭＰＤＵにＰＬＣＰ(ｐｈｙｓｉｃａｌｌａｙｅｒ ｃｏｎｖｅｒｇｅｎｃｅ ｐｒｏｃｅｄｕｒｅ)ヘッダを加えてＰＰＤＵを生成し、及び前記ＰＰＤＵを前記ターゲットステーションに送信することを含み、前記ＰＬＣＰヘッダは、前記ターゲットステーションの部分(ｐａｒｔｉａｌ)ＡＩＤ(Ａｓｓｏｃｉａｔｉｏｎ ＩＤ)を含む。
【００１３】
前記ターゲットステーションの前記部分ＡＩＤは、前記ターゲットステーションがＡＰと結合(ａｓｓｏｃｉａｔｉｏｎ)過程で前記ＡＰから割当を受けたＡＩＤ(Ａｓｓｏｃｉａｔｉｏｎ ＩＤ)から得られる。
【００１４】
前記ＡＩＤは、１６ビット(ｂｉｔ)の長さを有し、前記部分ＡＩＤは、前記ＡＩＤの１６ビットのうち低次(ｌｏｗｏｒｄｅｒ)の９ビットに設定される。
【００１５】
前記部分ＡＩＤは、前記ＰＬＣＰヘッダのＶＨＴ ＳＩＧフィールドに含まれ、前記ＶＨＴ ＳＩＧフィールドは、前記ターゲットステーションが前記ＰＰＤＵを受信して前記ＰＰＤＵを復調し、デコーディングに必要な制御情報を含んでいるフィールドである。
【００１６】
前記部分ＡＩＤは、前記送信ステーションと前記ターゲットステーションの各々がＡＰであるか或いは非ＡＰ(ｎｏｎ ＡＰ)ステーションであるかを指示する情報を含む。
【００１７】
本発明の他の態様において、無線ＬＡＮシステムにおける送信ステーション(ｓｔａｔｉｏｎ)により実行されるフレーム送信方法は、複数のターゲットステーションの各々に送信する複数のＭＰＤＵ(ＭＡＣ Ｐｒｏｔｏｃｏｌ Ｄａｔａ Ｕｎｉｔ)を生成し、前記複数のＭＰＤＵにＰＬＣＰ(ｐｈｙｓｉｃａｌ ｌａｙｅｒ ｃｏｎｖｅｒｇｅｎｃｅ ｐｒｏｃｅｄｕｒｅ)ヘッダを加えてＰＰＤＵを生成し、及び前記ＰＰＤＵを前記複数のターゲットステーションに同時に送信することを含み、前記ＰＬＣＰヘッダは、前記複数のターゲットステーションを指示するグループＩＤを含む。
【００１８】
前記グループＩＤは、前記ＰＬＣＰヘッダのＶＨＴ ＳＩＧフィールドに含まれ、前記ＶＨＴＳＩＧフィールドは、前記複数のターゲットステーションに共通に適用される制御情報を含んでいるフィールドである。
【００１９】
本発明の他の態様において、無線ＬＡＮシステムにおける動作するステーションは、ＰＰＤＵを送信又は受信する送受信機；及び、前記送受信機と機能的に連結されたプロセッサ；を含み、前記プロセッサは、ターゲットステーションに送信するＭＰＤＵ(ＭＡＣ Ｐｒｏｔｏｃｏｌ Ｄａｔａ Ｕｎｉｔ)を生成し、前記ＭＰＤＵにＰＬＣＰ(ｐｈｙｓｉｃａｌ ｌａｙｅｒ ｃｏｎｖｅｒｇｅｎｃｅ ｐｒｏｃｅｄｕｒｅ)ヘッダを加えてＰＰＤＵを生成し、及び前記ＰＰＤＵを前記送受信機を介して前記ターゲットステーションに送信するように設定され、前記ＰＬＣＰヘッダは、前記ターゲットステーションの部分(ｐａｒｔｉａｌ)ＡＩＤ(ＡｓｓｏｃｉａｔｉｏｎＩＤ)を含む。
例えば、本願発明は以下の項目を提供する。
（項目１）
無線ＬＡＮシステムにおける送信ステーション(ｓｔａｔｉｏｎ)により実行されるフレーム送信方法において、
ターゲットステーションに送信するＭＰＤＵ(ＭＡＣ Ｐｒｏｔｏｃｏｌ Ｄａｔａ Ｕｎｉｔ)を生成し、
前記ＭＰＤＵにＰＬＣＰ(ｐｈｙｓｉｃａｌ ｌａｙｅｒ ｃｏｎｖｅｒｇｅｎｃｅ ｐｒｏｃｅｄｕｒｅ)ヘッダを加えてＰＰＤＵを生成し、及び
前記ＰＰＤＵを前記ターゲットステーションに送信することを含み、
前記ＰＬＣＰヘッダは、前記ターゲットステーションの部分(ｐａｒｔｉａｌ)ＡＩＤ(Ａｓｓｏｃｉａｔｉｏｎ ＩＤ)を含む方法。
（項目２）
前記ターゲットステーションの前記部分ＡＩＤは、前記ターゲットステーションがＡＰと結合(ａｓｓｏｃｉａｔｉｏｎ)過程で前記ＡＰから割当を受けたＡＩＤ(Ａｓｓｏｃｉａｔｉｏｎ ＩＤ)から得られる項目１に記載の方法。
（項目３）
前記ＡＩＤは、１６ビット(ｂｉｔ)の長さを有し、前記部分ＡＩＤは、前記ＡＩＤの１６ビットのうち低次(ｌｏｗ ｏｒｄｅｒ)の９ビットに設定される項目２に記載の方法。
（項目４）
前記部分ＡＩＤは、前記ＰＬＣＰヘッダのＶＨＴＳＩＧフィールドに含まれ、前記ＶＨＴ ＳＩＧフィールドは、前記ターゲットステーションが前記ＰＰＤＵを受信して前記ＰＰＤＵを復調し、デコーディングに必要な制御情報を含んでいるフィールドである項目１に記載の方法。
（項目５）
前記部分ＡＩＤは、前記送信ステーションと前記ターゲットステーションの各々がＡＰであるか或いは非ＡＰ(ｎｏｎ ＡＰ)ステーションであるかを指示する情報を含む項目１に記載の方法。
（項目６）
無線ＬＡＮシステムにおける送信ステーション(ｓｔａｔｉｏｎ)により実行されるフレーム送信方法において、
複数のターゲットステーションの各々に送信する複数のＭＰＤＵ(ＭＡＣ Ｐｒｏｔｏｃｏｌ Ｄａｔａ Ｕｎｉｔ)を生成し、
前記複数のＭＰＤＵにＰＬＣＰ(ｐｈｙｓｉｃａｌ ｌａｙｅｒ ｃｏｎｖｅｒｇｅｎｃｅ ｐｒｏｃｅｄｕｒｅ)ヘッダを加えてＰＰＤＵを生成し、及び
前記ＰＰＤＵを前記複数のターゲットステーションに同時に送信することを含み、
前記ＰＬＣＰヘッダは、前記複数のターゲットステーションを指示するグループＩＤを含む方法。
（項目７）
前記グループＩＤは、前記ＰＬＣＰヘッダのＶＨＴＳＩＧフィールドに含まれ、前記ＶＨＴ ＳＩＧフィールドは、前記複数のターゲットステーションに共通に適用される制御情報を含んでいるフィールドである項目６に記載の方法。
（項目８）
無線ＬＡＮシステムにおける動作するステーションにおいて、
前記ステーションは、
ＰＰＤＵを送信又は受信する送受信機；及び、
前記送受信機と機能的に連結されたプロセッサ；を含み、
前記プロセッサは、ターゲットステーションに送信するＭＰＤＵ(ＭＡＣ Ｐｒｏｔｏｃｏｌ Ｄａｔａ Ｕｎｉｔ)を生成し、
前記ＭＰＤＵにＰＬＣＰ(ｐｈｙｓｉｃａｌ ｌａｙｅｒ ｃｏｎｖｅｒｇｅｎｃｅ ｐｒｏｃｅｄｕｒｅ)ヘッダを加えてＰＰＤＵを生成し、及び
前記ＰＰＤＵを前記送受信機を介して前記ターゲットステーションに送信するように設定され、
前記ＰＬＣＰヘッダは、前記ターゲットステーションの部分(ｐａｒｔｉａｌ)ＡＩＤ(Ａｓｓｏｃｉａｔｉｏｎ ＩＤ)を含むステーション。
（項目９）
前記ターゲットステーションの前記部分ＡＩＤは、前記ターゲットステーションがＡＰと結合(ａｓｓｏｃｉａｔｉｏｎ)過程で前記ＡＰから割当を受けたＡＩＤ(Ａｓｓｏｃｉａｔｉｏｎ ＩＤ)から得られることを特徴とする項目８に記載のステーション。
（項目１０）
前記ＡＩＤは、１６ビット(ｂｉｔ)の長さを有し、前記部分ＡＩＤは、前記ＡＩＤの１６ビットのうち低次(ｌｏｗｏｒｄｅｒ)の９ビットに設定されることを特徴とする項目９に記載のステーション。
（項目１１）
前記部分ＡＩＤは、前記ＰＬＣＰヘッダのＶＨＴＳＩＧフィールドに含まれ、前記ＶＨＴ ＳＩＧフィールドは、前記ターゲットステーションが前記ＰＰＤＵを受信して前記ＰＰＤＵを復調し、デコーディングに必要な制御情報を含んでいるフィールドであることを特徴とする項目８に記載のステーション。
（項目１２）
前記部分ＡＩＤは、前記送信ステーションと前記ターゲットステーションの各々がＡＰであるか或いは非ＡＰ(ｎｏｎ ＡＰ)ステーションであるかを指示する情報を含むことを特徴とする項目８に記載のステーション。
【発明の効果】
【００２０】
無線ＬＡＮシステムに適用されることができるＰＬＣＰフレームフォーマット、ＰＬＣＰフレーム送信方法、及びこれをサポートする装置を提供する。本発明が提案する新たなＰＬＣＰフレームを用いて無線ＬＡＮシステムのステーションの電力消費効率を上げ、トラフィックの種類による効率的な動作が可能である。
【図面の簡単な説明】
【００２１】
【図１】ＩＥＥＥ８０２.１１の物理階層アーキテクチャを示す。
【図２】前述したＰＬＣＰフレーム送信手順の一例を示す。
【図３】本発明の実施例によるＰＬＣＰフレーム構成及び対象ＳＴＡ情報送信の一例を示す。
【図４】ＰＬＣＰヘッダにグループＩＤを含んで送信する例を示す。
【図５】本発明が適用されることができるＰＬＣＰフレームフォーマットの一例を示す。
【図６】ＶＨＴ ＳＩＧフィールドのＣＲＣ値にデータを送信したいＳＴＡの固有シーケンスをマスキングして送信する例を示す。
【図７】及び
【図８】各々、本発明の一実施例によるＵＬデータフレーム送信とＤＬデータフレーム送信の例を示す。
【図９】ＶＨＴ ＳＩＧフィールドに部分ＡＩＤを含ませて送信する一例を示す。
【図１０】ＯＢＳＳ環境で発生することができる問題点を例示する。
【図１１】本発明の実施例によるローカルＡＰ ＩＤ１１００を含むビーコンフレームのフレームフォーマットの一例を示す。
【図１２】ＳＴＡの消費電力節減のための無線フレーム受信アルゴリズムを示す。
【図１３】本発明の一実施例によるＳＵ−ＭＩＭＯ送信をサポートするＰＬＣＰフレームフォーマットの一例を示す。
【図１４】ＳＴＡがＰＳモードに動作する時、ＡＰのフレーム送信方法の一例を示す。
【図１５】本発明の一実施例によるＡＰのフレーム送信方法を示す。
【図１６】ＡＰの消費電力を減らすための本発明の実施例によるＡＰとＳＴＡの動作の一例を示す。
【図１７】ＡＰの消費電力を減らすための本発明の実施例によるＡＰとＳＴＡの動作の他の例を示す。
【図１８】本発明の一実施例が具現される無線装置を示すブロック図である。無線装置１８００は、ＡＰ又はＳＴＡである。
【発明を実施するための形態】
【００２２】
以下、添付図面を参照して本発明の実施例に対して詳細に説明する。
【００２３】
本発明の実施例が具現されるＷＬＡＮ(ｗｉｒｅｌｅｓｓ ｌｏｃａｌ ａｒｅａ ｎｅｔｗｏｒｋ)システムは、少なくとも一つのＢＳＳ(ｂａｓｉｃｓｅｒｖｉｃｅ ｓｅｔ)を含む。ＢＳＳは、互いに通信するために成功的に同期化されたステーション(ｓｔａｔｉｏｎ；ＳＴＡ)の集合である。ＢＳＳは、独立(Ｉｎｄｅｐｅｎｄｅｎｔ)ＢＳＳ(ＩＢＳＳ)とインフラストラクチャ(Ｉｎｆｒａｓｔｒｕｃｔｕｒｅ)ＢＳＳに分類することができる。
【００２４】
インフラストラクチャＢＳＳは、少なくとも一つのＳＴＡとＡＰ(ａｃｃｅｓｓ ｐｏｉｎｔ)を含む。ＡＰは、ＢＳＳ内のＳＴＡの各々の無線媒体(ｗｉｒｅｌｅｓｓ ｍｅｄｉｕｍ)を介して連結を提供する機能媒体である。ＡＰは、集中制御器(ｃｅｎｔｒａｌｉｚｅｄ ｃｏｎｔｒｏｌｌｅｒ)、ＢＳ(ｂａｓｅｓｔａｔｉｏｎ)、スケジューラなどのような他の名称で呼ばれることもある。
【００２５】
ＳＴＡは、ＩＥＥＥ８０２.１１標準を満たすＭＡＣ(ｍｅｄｉｕｍ ａｃｃｅｓｓ ｃｏｎｔｒｏｌ)及びＰＨＹ(ｗｉｒｅｌｅｓｓ−ｍｅｄｉｕｍｐｈｙｓｉｃａｌ ｌａｙｅｒ)インターフェースを含む任意の機能媒体である。ＳＴＡは、ＡＰ又はｎｏｎ−ＡＰ ＳＴＡであり、以下で別途に区別して表示しない限りＡＰと区別されるｎｏｎ−ＡＰ ＳＴＡを意味する。ＳＴＡは、ＵＥ(ｕｓｅｒ ｅｑｕｉｐｍｅｎｔ)、ＭＳ(ｍｏｂｉｌｅｓｔａｔｉｏｎ)、ＭＴ(ｍｏｂｉｌｅ ｔｅｒｍｉｎａｌ)、携帯用機器、インターフェースカードなどのような他の名称で呼ばれることもある。
【００２６】
ＳＴＡは、ＶＨＴ−ＳＴＡ、ＨＴ−ＳＴＡ、及びＬ(Ｌｅｇａｃｙ)−ＳＴＡに区分されることができる。ＨＴ−ＳＴＡは、ＩＥＥＥ８０２.１１ｎをサポートするＳＴＡを意味し、Ｌ−ＳＴＡは、ＩＥＥＥ８０２.１１ｎの下位バージョン、例えば、ＩＥＥＥ８０２.１１ａ/ｂ/ｇをサポートするＳＴＡを意味する。Ｌ−ＳＴＡは、ｎｏｎ−ＨＴ ＳＴＡとも呼ぶ。
【００２７】
図１は、ＩＥＥＥ８０２.１１の物理階層アーキテクチャを示す。
【００２８】
ＩＥＥＥ８０２.１１の物理階層アーキテクチャ(ＰＨＹｌａｙｅｒ ａｒｃｈｉｔｅｃｔｕｒｅ)は、ＰＬＭＥ(ＰＨＹ Ｌａｙｅｒ Ｍａｎａｇｅｍｅｎｔ Ｅｎｔｉｔｙ)、ＰＬＣＰ(Ｐｈｙｓｉｃａｌ Ｌａｙｅｒ ＣｏｎｖｅｒｇｅｎｃｅＰｒｏｃｅｄｕｒｅ)副階層１１０、ＰＭＤ(Ｐｈｙｓｉｃａｌ Ｍｅｄｉｕｍ Ｄｅｐｅｎｄｅｎｔ)副階層１００で構成される。ＰＬＭＥは、ＭＬＭＥ(ＭＡＣ ＬａｙｅｒＭａｎａｇｅｍｅｎｔ Ｅｎｔｉｔｙ)と協調して物理階層の管理機能を提供する。ＰＬＣＰ副階層１１０は、ＭＡＣ副階層１２０とＰＭＤ副階層１００との間でＭＡＣ副階層１２０の指示によってＭＡＣ副階層１２０から受けたＭＰＤＵ(ＭＡＣ ＰｒｏｔｏｃｏｌＤａｔａ Ｕｎｉｔ)をＰＭＤ副階層に伝達したり、或いはＰＭＤ副階層１００から来るフレームをＭＡＣ副階層１２０に伝達する。ＰＭＤ副階層１００は、ＰＬＣＰの下位階層であり、無線媒体を介する２つのステーション間物理階層エンティティ(ｅｎｔｉｔｙ)の送受信が可能にする。
【００２９】
ＰＬＣＰ副階層１１０は、ＭＰＤＵをＭＡＣ副階層１２０から受けてＰＭＤ副階層１００に伝達する過程で物理階層送受信機により必要な情報を含む付加フィールドを加える。この時、付加されるフィールドは、ＭＰＤＵにＰＬＣＰプリアンブル(ｐｒｅａｍｂｌｅ)、ＰＬＣＰヘッダ(ｈｅａｄｅｒ)、データフィールド上に必要なテールビット(Ｔａｉｌ Ｂｉｔｓ)などになることができる。ＰＬＣＰプリアンブルは、ＰＳＤＵ(ＰＬＣＰＳｅｒｖｉｃｅ Ｄａｔａ Ｕｎｉｔ＝ＭＰＤＵ)が送信される前に受信機が同期化機能とアンテナダイバーシティを準備するようにする役割をする。ＰＬＣＰヘッダにはフレームに対する情報を含むフィールドが含まれ、これは以後に図２を参照してより具体的に説明する。
【００３０】
ＰＬＣＰ副階層１１０でＭＰＤＵに前述したフィールドを付加してＰＰＤＵ(ＰＬＣＰ Ｐｒｏｔｏｃｏｌ Ｄａｔａ Ｕｎｉｔ)を生成し、ＰＭＤ副階層を経て受信ステーションに送信し、受信ステーションは、ＰＰＤＵを受信し、ＰＬＣＰプリアンブル、ＰＬＣＰヘッダからデータ復元に必要な情報を得てデータを復元する。
【００３１】
図２は、前述したＰＬＣＰ送信手順の一例を示す。
【００３２】
ＭＡＣ副階層のＭＰＤＵは、無線媒体を介する送信のためにＰＨＹ階層のＰＬＣＰ副階層に伝達される。ＰＬＣＰ副階層ではレガシＳＴＡの制御情報を含んでいるＬ−ＳＩＧ、及びＶＨＴ ＳＴＡのための制御情報を含んでいるＶＨＴ−ＳＩＧ１とＶＨＴ−ＳＩＧ２を加え、必要によってパディングビットを加えることができる。また、エンコーディング方式によってテールビット(ｔａｉｌｂｉｔｓ)をさらに追加することができる。ここにＮｏｎ−ＶＨＴトレーニングシンボル(Ｎｏｎ−ＶＨＴ Ｔｒａｉｎｉｎｇ Ｓｙｍｂｏｌｓ)とＶＨＴトレーニングシンボル(ＶＨＴ Ｔｒａｉｎｉｎｇ Ｓｙｍｂｏｌｓ)を付加する。Ｎｏｎ−ＶＨＴトレーニングシンボルは、受信ＳＴＡがフレームタイミング獲得(ｆｒａｍｅ ｔｉｍｉｎｇ ａｃｑｕｉｓｉｔｉｏｎ)、ＡＧＣ(ａｕｔｏｍａｔｉｃｇａｉｎ ｃｏｎｔｒｏｌ)制御、及び粗い(ｃｏａｒｓｅ)周波数を獲得することができるようにし、Ｌ−ＳＩＧ及びＶＨＴ−ＳＩＧ１の復調のためのチャネル推定に使われることができる。ＶＨＴトレーニングシンボルは、ＶＨＴ−ＳＩＧ２の復調のためのチャネル推定に使われることができる。
【００３３】
ＭＡＣ副階層のＭＰＤＵは、ＰＬＣＰ副階層を経てＰＭＤ副階層で無線媒体を介して相手ＳＴＡに送信される。ＰＭＤ階層で無線媒体を介して送信されるＰＰＤＵは、Ｎｏｎ−ＶＨＴプリアンブル、Ｌ−ＳＩＧ、ＶＨＴ−ＳＩＧ１、ＶＨＴ−ＳＩＧ２、ＶＨＴトレーニング(ＶＨＴ−Ｔｒａｎｉｎｇ)、ＶＨＴ−ＳＩＧ２、及びデータフィールドを含む。以下、送信ＳＴＡ(ＡＰを含む)のＰＬＣＰ階層でＭＡＣ階層から伝達を受けたＰＳＤＵに付加されるフィールドを通称してＰＬＣＰプリアンブル及びＰＬＣＰヘッダと表記する。
【００３４】
本発明の実施例によるＰＬＣＰフレームは、対象(ｔａｒｇｅｔ)ＳＴＡ情報を含む。対象ＳＴＡ情報は、ＰＬＣＰ副階層でＭＰＤＵに付加されるフィールドに含まれたり、或いは別個のフィールドとして付加されて送信されることができる。対象ＳＴＡ情報は、ＭＰＤＵに含まれる、ＭＡＣプロトコル階層(ｌａｙｅｒ)での受信者住所(ｒｅｃｅｉｖｅｒ ａｄｄｒｅｓｓ ｏｒ ｒｅｃｅｉｖｉｎｇｓｔａｔｉｏｎ ａｄｄｒｅｓｓ；ＲＡ)又は宛先住所(ｄｅｓｔｉｎａｔｉｏｎ ａｄｄｒｅｓｓ；ＤＡ)と区別される。言い換えれば、ＭＡＣプロトコル階層でＭＡＣヘッダの住所フィールド(ａｄｄｒｅｓｓ ｆｉｅｌｄ)に設定されて送信される受信者住所又は宛先住所とは違って、本発明の対象ＳＴＡ情報は、ＰＬＣＰ副階層でＭＰＤＵに付加されて送信される情報である。本発明による対象ＳＴＡ情報送信の一例として、対象ＳＴＡ情報は、ＰＬＣＰ副階層で追加されるＶＨＴ ＳＩＧフィールドに含まれて送信されることができる。以下、対象ＳＴＡ情報の具体的な一例、及びそれによる本発明が提案するＰＬＣＰフレームを受信又はオーバーヒアリング(ｏｖｅｒｈｅａｒｉｎｇ)したＳＴＡの動作を多様な実施例と共に説明する。
【００３５】
図３は、本発明の実施例によるＰＬＣＰフレーム構成及び対象ＳＴＡ情報送信の一例を示す。
【００３６】
図３では、ＡＰがＳＴＡ１に対してＰＬＣＰフレームを送信することを例示しているが、本発明はこれに限定されるものではない。ＰＬＣＰフレームを送信する送信端末は、ＳＴＡであり、これを受信する端末は、ＳＴＡ又はＡＰである。
ＡＰは、ＡＰに具現されているＰＬＣＰ副階層でＳＴＡ１に送信するデータ３１０を含むＭＳＤＵにＰＬＣＰプリアンブル及びＰＬＣＰヘッダを付加する。この時、ＶＨＴ−ＳＩＧ１又はＶＨＴ−ＳＩＧ２には対象ＳＴＡ情報が含まれることができる。より具体的に、ＶＨＴ−ＳＩＧ１又はＶＨＴ−ＳＩＧ２は、対象ＳＴＡ情報を含むＮビットを含むことができる。ＶＨＴ−ＳＩＧ１又はＶＨＴ−ＳＩＧ２に含まれるＮビットは、対象ＳＴＡ情報を直接指示したり、又はＮビットで表現されることができるＭ個の状態(ｓｔａｔｅ)のうちいずれか一つを指示する形態である。即ち、既設定されたＭ個の状態のうちいずれか一つを指示するインデックス情報である。
【００３７】
無線ＬＡＮシステムにおけるＳＴＡは、送信していない状態では受信される時期を知ることができない無線フレームを受けるために搬送波感知(ｃａｒｒｉｅｒ ｓｅｎｓｅ)を実行する。搬送波感知の結果、搬送波が検出(ｄｅｔｅｃｔｉｏｎ)された時は、データの復調を試み、ＭＡＣ副階層で該当データパケットが自身のための情報であるか否かを判断する。従って、受信した全てのデータパケットを復調してデコーディングするために電力を消耗するようになる。これはＳＴＡの電力効率を低くする結果を招く。
【００３８】
ＰＬＣＰヘッダに含まれる対象ＳＴＡ情報は、ＰＬＣＰフレームを受信又はオーバーヒアリングするＳＴＡの電力効率を上げるために使われることができる。受信又はオーバーヒアリングするＳＴＡは、対象ＳＴＡ情報を用いてスリープモード(ｓｌｅｅｐ ｍｏｄｅ)に入るか否かを決定し、不要なデータパケットに対する復調及びデコーディングを減らすことができる。
【００３９】
これを図３の例で説明すると、ＡＰが送信するＰＬＣＰフレームのＰＬＣＰヘッダには、Ｎビット又はこれに相応することができるＭ個の状態情報３００が含まれている。ＳＴＡ１は、ＡＰが送信するＰＬＣＰフレームのヘッダを読み取り、自身のためのデータ又は情報でないことを知るようになると、以後送信されるフィールドに対してデコーディングする必要がない。このような場合、ＳＴＡ１は、スリープモードに切り替えることができる。この時、ＶＨＴ ＳＩＧフィールドには、ＳＴＡ１がスリープモードに動作する期間を指示する期間情報がさらに含まれることができ、ＳＴＡ１は、期間情報が指示する期間中スリープモードに動作することができる。ＳＴＡ１がスリープモードに動作する期間は、データフィールド３１０が送信される時又はデータに対するＡＣＫフレームが送信される時までの期間である。ＡＣＫ政策によってデータに対するＡＣＫフレーム送信が即時行われず、複数のデータが連続的に送信される場合、ＳＴＡ１は、最初のＰＬＣＰフレームのデータフィールドが送信される時までスリープモードに動作することができる。
【００４０】
図３の例でＮビットを介して送信される対象ＳＴＡ情報はＳＴＡの識別情報である。即ち、Ｎビット又はこれに相応することができるＭ個の状態情報で表現されることができる物理(Ｐｈｙｓｉｃａｌ)ＩＤを導入して各ＳＴＡに割当をするようになると、各ＳＴＡは、自身に割り当てられた情報と他のＳＴＡに割り当てられた情報を区分することができるようになるため、既存ＳＴＡの動作と共に全ての情報を最後まで検出する必要がなくなる。即ち、該当ＰＬＣＰフレームが自身に不要で、且つ他のＳＴＡのための情報であると判断されると、スリープモードに切り替えて電力消費を減らすことができる。
【００４１】
物理ＩＤを導入する一つの方法として、Ｇｒｏｕｐ ＩＤが考慮されることができる。これは、ＭＵ−ＭＩＭＯ動作(ｏｐｅｒａｔｉｏｎ)をサポートするための候補(ｃａｎｄｉｄａｔｅ)になることができるＳＴＡを一つのグループにグルーピンしてグループ(Ｇｒｏｕｐ)ＩＤを割り当てることである。ＳＴＡ立場では自身が属するグループのグループＩＤと同じグループＩＤを有しているＰＬＣＰフレームは、自身のものであると判断し、自身が属するグループのグループＩＤと異なるグループＩＤを有しているＰＬＣＰフレームは、自身に不要なデータ/情報を有していると判断することによって、これ以上該当ＰＬＣＰフレームに対する復調及びデコーディングを実行せずにスリープモードに切り替えることができる。
【００４２】
図４は、ＰＬＣＰヘッダにグループＩＤを含んで送信する例を示す。
【００４３】
図４で、ＳＴＡ１、ＳＴＡ２、及びＳＴＡ４は、グループＡ１５を構成するＳＴＡであり、Ｇｒｏｕｐ ＩＤ＝Ａの割当を受け、ＳＴＡ３、ＳＴＡ７、及びＳＴＡ１０がグループＢ２５を構成してＧｒｏｕｐ ＩＤ＝Ｂの割当を受けたと仮定する。この時、ＰＬＣＰフレームのデータがグループＡ１５のＳＴＡに送信されると、グループＢ２５に属するＳＴＡは、ＰＬＣＰフレームのＰＬＣＰヘッダに含まれたグループＩＤ情報４００を介して自身に不要なものであることを知るようになり、以後送信されるフィールドに対するこれ以上の復調やデコーディング無しにスリープモードに切り替えることができる。
【００４４】
前述した方法は、ＰＬＣＰヘッダに含まれた物理ＩＤを用いてＰＬＣＰフレームを受信したＳＴＡが、該当ＰＬＣＰフレームが自身に不要なものであるか否かを判断したが、本発明が提案する他の実施例によると、ＰＬＣＰフレームにＣＲＣマスキング(ｍａｓｋｉｎｇ)を用いることができる。即ち、各ＳＴＡに与えられた特定シーケンス(ｓｐｅｃｉｆｉｃ ｓｅｑｕｅｎｃｅ)をＣＲＣにマスキングして送信すると、ＳＴＡは、ＰＬＣＰフレームのプリアンブルを検出(ｄｅｔｅｃｔｉｏｎ)する過程で自身に必要な情報であるか否かを区分することができるようになり、他のＳＴＡのための情報であると判断されると、スリープモードに切り替えることができる。
【００４５】
図５は、本発明が適用されることができるＰＬＣＰフレームフォーマットの一例を示す。
【００４６】
図５の例は、ＳＴＡ１及びＳＴＡ２に対してＭＵ−ＭＩＭＯ方式にデータを送信する場合を示す。ＶＨＴ ＳＩＧ１は、全てのＳＴＡが受信して認識することができるようにプリコーディング無しに全方向(ｏｎｍｉ−ｄｉｒｅａｔｉｏｎａｌ)送信される。ＶＨＴ ＳＩＧ１には全てのＳＴＡに共通的な情報が含まれ、その一例として、どのストリーム(ｓｔｒｅａｍ)が各々のＳＴＡに割り当てられたか、又は総ストリームの数は何個であるかなどの情報がＶＨＴ ＳＩＧ１を介して各ＳＴＡに伝達される。
【００４７】
ＶＨＴ ＳＩＧ１とＶＨＴ−ＬＴＦを非オーバーラッピング(ｎｏｎ−ｏｖｅｒｌａｐｐｉｎｇ)方式に送信する。次に、各ＳＴＡのデータ情報を含んでおり、個別ＳＴＡに対する制御情報を含んでいるＶＨＴ ＳＩＧ２−１フィールド５２１、ＶＨＴＳＩＧ２−２フィールド５２２をオーバーラッピング(ｏｖｅｒｌａｐｐｉｎｇ)方式に送信する。ＶＨＴ ＳＩＧ２−１フィールド５２１及びＶＨＴ ＳＩＧ２−２フィールド５２２はプリアンブルの後方に位置する。
【００４８】
ＳＴＡに対する共通制御情報を含んでいるＶＨＴ ＳＩＧ１と個別ＳＴＡの各々に対する制御情報を含んでいるＶＨＴ ＳＩＧ２−１フィールド５２１及びＶＨＴ ＳＩＧ２−２フィールド５２２は、ＣＲＣチェックのためのビット(ｂｉｔ)を含むと仮定すると、各ＳＴＡ固有の情報を含んでいるＶＨＴ ＳＩＧ２−１フィールド５２１及びＶＨＴ ＳＩＧ２−２フィールド５２２に含まれたＣＲＣビットにＣＲＣマスキングが行われることができる。個別ＳＴＡの特定シーケンスを個別ＳＴＡに対する制御情報を含んでいるＶＨＴ ＳＩＧ２のＣＲＣにマスキングして送信すると、ＳＴＡはＰＬＣＰフレームを検出する過程で自身のデータ/情報であるか否かを区分することができるようになり、他のＳＴＡのためのデータ/情報であると判断されると、スリープモードに切り替えることができる。
【００４９】
図６は、ＶＨＴ ＳＩＧフィールドのＣＲＣ値にデータ送信目的ＳＴＡの固有シーケンスをマスキングして送信する例を示す。各々のＳＴＡは、ＳＴＡ固有ＩＤをマスキングした値と比較し、自身で送ったデータであるか否かを区分した後、自身のデータでなければスリープモードに切り替えて消費電力を低くすることができる。図６の例は、ＳＴＡ１のＳＴＡ固有ＩＤがＣＲＣにマスキングされて送信された例であるため、ＳＴＡ１はＲＸモード(アウェイク状態(ａｗａｋｅ ｍｏｄｅ))を維持し、残りのＳＴＡ(ＳＴＡ３、ＳＴＡ７、ＳＴＡ１０)は、ＶＨＴ ＳＩＧをデコーディングした後、スリープモードに切り替えることを示す。
【００５０】
本発明の他の実施例によると、ＰＬＣＰヘッダのＶＨＴ ＳＩＧフィールドは、ＳＴＡがオーバーヒアリング(ｏｖｅｒｈｅａｒｉｎｇ)を継続して実行するか否かに対する情報を提供するフィールドを含むことができる。
【００５１】
ＳＴＡ ＡとＳＴＡ ＢがＲＴＳ(Ｒｅｑｕｅｓｔ Ｔｏ ｓｅｎｄ)フレーム及びＣＴＳ(Ｃｌｅａｒ Ｔｏ Ｓｅｎｄ)フレームを送受信した後、データフレームを送信する時、その周囲にある他のＳＴＡは、全ての過程をオーバーヒアリングしている。然しながら、衝突を回避するために送信されるＲＴＳ/ＣＴＳフレームなどのような比較的短い制御フレームをオーバーヒアリングすることなく、相対的に長い他のＳＴＡに対するデータフレームをオーバーヒアリングすることは電力効率面で浪費である。
【００５２】
このような問題を解決するために、他のＳＴＡがオーバーヒアリングを持続するか否かを指示する情報(例えば、非オーバーヒアリングビット(ｎｏｎ−ｏｖｅｒｈｅａｒｉｎｇ ｂｉｔ)を送信することができる。本発明の一実施例によると、ＰＬＣＰフレームのＶＨＴ ＳＩＧフィールドは、非オーバーヒアリングビットを含むことができる。非オーバーヒアリングビットは、１ビットの長さを有することができる。非オーバーヒアリングビットを０に設定(ｎｏｎ−ｏｖｅｒｈｅａｒｉｎｇ ｂｉｔ＝０)して送信する場合、これを受信したＳＴＡは、オーバーヒアリングを続けるが、非オーバーヒアリングビットを１に設定(ｎｏｎ−ｏｖｅｒｈｅａｒｉｎｇ ｂｉｔ＝１)して送信する場合にはオーバーヒアリングを続けずにスリープモードに切り替えることができる。ＲＴＳフレーム及びＣＴＳフレームは、衝突を回避するために、全てのＳＴＡがオーバーヒアリングすべきフレームであるため、ＲＴＳフレームやＣＴＳフレームを送信するＳＴＡは、非オーバーヒアリングビットを０に設定して送信することができる。これに対し、データを送信する場合、データを受信すべきＳＴＡ以外のＳＴＡが不要なオーバーヒアリングを実行し続けることを防止するために、非オーバーヒアリングビットを１に設定して送信することができる。
【００５３】
他の例として、アップリンク(ｕｐｌｉｎｋ；ＵＬ)に送信される情報とダウンリンク(ｄｏｗｎｌｉｎｋ；ＤＬ)に送信される情報に非オーバーヒアリングビットを追加して送信することで、ＳＴＡの電力節減効果を得ることができる。ここで、ＵＬ送信は、少なくとも一つ以上のＳＴＡがＡＰに対して無線フレームを送信することを意味し、ＤＬ送信は、ＡＰが少なくても一つ以上のＳＴＡに対して無線フレームを送信することを意味し、以下、同様である。
【００５４】
ＤＬ送信の場合、ＳＴＡは、媒体(ｍｅｄｉｕｍ)のビジ(ｂｕｓｙ)/アイドル(ｉｄｌｅ)をセンシング(ｓｅｎｓｉｎｇ)し、自身にくることができる無線フレームを受信するためにオーバーヒアリングを持続する必要がある。従って、ＤＬ送信の場合、非オーバーヒアリングビットは０に設定されて送信されることができる。反面、ＵＬ送信の場合、ＳＴＡがＡＰにのみ情報を伝達するため、他のＳＴＡ立場ではオーバーヒアリングをする必要がない。言い換えれば、非オーバーヒアリングビットを１に設定して送信することができる。
【００５５】
ＡＰは、特定ＳＴＡにデータフレームを送る時、非オーバーヒアリングビットを１に設定し、マルチキャスト(ｍｕｌｔｉｃａｓｔ)フレーム又はブロードキャスト(ｂｒｏａｄｃａｓｔ)フレームを送る時、非オーバーヒアリングビットを０に設定して送信することができる。
【００５６】
ＳＴＡは、ＡＰにデータフレームを送る時、非オーバーヒアリングビットを１に設定し、ＳＴＡが他のＳＴＡにデータフレームを送る時、非オーバーヒアリングビットを０に設定することができる。
【００５７】
ＳＴＡは、非オーバーヒアリングビットが１に設定された場合、ＰＬＣＰヘッダの次にくるＭＰＤＵに対して受信せずにスリープモードに切り替えることができる。然しながら、非オーバーヒアリングビットが０に設定されている場合、ＰＬＣＰヘッダと後に送信されるＭＰＤＵを全部受信すべきである。
【００５８】
図７及び図８は、各々、本発明の一実施例によるＵＬデータフレーム送信とＤＬデータフレーム送信の例を示す。
【００５９】
図７で、ＳＴＡ１がＡＰにＵＬデータフレームを送信すると、ＳＴＡ２は、ＶＨＴ ＳＩＧフィールドの１に設定された非オーバーヒアリングビット７１０を確認し、ＶＨＴ ＳＩＧフィールド以後のフィールドをデコーディングする必要が無いことを知ってスリープモードに切り替える。
【００６０】
図８で、ＡＰがＳＴＡ１にＤＬデータフレームを送信する時、ＳＴＡ２は、媒体の状態をセンシングしなければならないため、無線フレームの受信が可能なＲＸモード(アウェイク状態)を維持する。この時、ＡＰが送信するデータフレームのＶＨＴ ＳＩＧフィールドに含まれる非オーバーヒアリングビット８１０は０に設定されることができる。
【００６１】
図７及び図８と共に説明した本発明の一実施例は、ＰＬＣＰヘッダにＳＴＡがオーバーヒアリングを持続するか否かを指示する非オーバーヒアリングビットを含ませて送信する例である。本発明の他の実施例によると、ＰＬＣＰヘッダは、送信類型による分類を指示する情報を含む送信類型フィールド/ビット列が含まれることができる。
【００６２】
表１は、送信類型による分類を示す。表１の分類類型において、その順序は任意であり、本発明はこれに限定されるものではなく、細部事項は一例として示すものであり、必要によって加減されることができる。
【００６３】
【表１】
0005587424.tif 000002
送信類型分類を指示するビット列は、ＶＨＴ ＳＩＧフィールドに含まれることができる。送信類型分類を指示するビット列を介して、ＳＴＡは、該当ＰＬＣＰフレームの送信類型(一例として、ＤＬ送信であるか、或いはＵＬ送信であるか、或いはブロードキャスティングであるか)を把握し、スリープモードに切り替えるか否かを決定することができる。
【００６４】
本発明の他の実施例によると、ＶＨＴ ＳＩＧフィールドにはＳＴＡ及びＢＳＳを区分可能にする指示情報が含まれることができる。ＳＴＡを区分可能にする指示情報として結合ＩＤ(Ａｓｓｏｃｉａｔｉｏｎ ＩＤ；ＡＩＤ)が使われることができる。ＢＳＳを区分可能にする指示情報としてＢＳＳ ＩＤが使われることができる。以下、これに関して実施例と共に詳細に説明する。
【００６５】
ＩＥＥＥ８０２.１１ｎ無線ＬＡＮシステムは、最大４個の空間ストリーム(ｓｐａｔｉａｌ ｓｔｒｅａｍ)を用いたＳＵ−ＭＩＭＯをサポートしたが、ＶＨＴ無線ＬＡＮシステムは、ＳＵ−ＭＩＭＯに加えてＭＵ−ＭＩＭＯをサポートすることができる。ＳＵ−ＭＩＭＯによる無線フレーム送信とＭＵ−ＭＩＭＯによる無線フレーム送信において同じＰＬＣＰフレームフォーマットを使用すると、ＭＵ−ＭＩＭＯをサポートするために、ＶＨＴ ＳＩＧフィールドに含まれる制御情報の一部は、ＳＵ−ＭＩＭＯによる送信が行われる場合には何らの影響を与えないこともある。言い換えれば、不要な情報になることができる。一例として、ＶＨＴ ＳＩＧフィールドにＭＵ−ＭＩＭＯ送信の対象になるＳＴＡを指示するグループＩＤとＭＵ−ＭＩＭＯ送信の対象ＳＴＡの各々に割り当てられたストリーム番号(ｓｔｒｅａｍ ｎｕｍｂｅｒ)を指示する情報などがＭＵ−ＭＩＭＯをサポートするために含まれると、ＳＵ−ＭＩＭＯに動作するＳＴＡには不要な情報になることができる。
【００６６】
４個のＭＵ−ＭＩＭＯ送信対象ＳＴＡが、各々、０〜４個の空間ストリーム(ｓｐａｔｉａｌ ｓｔｅａｍ)まで受信することができると仮定すると、ＶＨＴ ＳＩＧフィールドには４個のＭＵ−ＭＩＭＯ送信対象ＳＴＡを指示するグループＩＤ設定のための４ビットとストリーム番号指示のために最大１２ビットが所要されることができる。ＳＵ−ＭＩＭＯ送信による場合、１２ビットを送信することは無意味であり、又は無線リソースの浪費を招くことができる。従って、ＳＵ−ＭＩＭＯ送信による場合、ＭＵ−ＭＩＭＯ送信に必要な情報を知らせるために使われるビットを用いてＳＵ−ＭＩＭＯで使われることができる他の情報を送信する方案を考慮することができる。
【００６７】
無線フレームを送信しようとするＡＰ/ＳＴＡの立場でＶＨＴ ＳＩＧフィールドを生成する時、ＭＵ−ＭＩＭＯ型式にデータを送信しようとする場合とＳＵ−ＭＩＭＯ型式にデータを送信しようとする場合を互いに異なるようにし、異なる情報を含んで送信することができる。無線フレームを受信するＡＰ/ＳＴＡの立場から見ると、無線フレームを受信したＳＴＡは、受信したフレームのＰＬＣＰヘッダ内のＶＨＴ ＳＩＧフィールドを解析するにあたって、ＳＵ−ＭＩＭＯ送信により受信した場合とＭＵ−ＭＩＭＯ送信により受信した場合に分けて互いに異なる情報を指示すると解析することができる。
【００６８】
例えば、ＳＵ−ＭＩＭＯ送信によるか、又はＭＵ−ＭＩＭＯ送信によるかを指示するＳＵ/ＭＵ−ＭＩＭＯ指示ビットがＳＵ−ＭＩＭＯを意味すると、ＳＴＡは、ＭＵ−ＭＩＭＯ送信による場合、ＶＨＴ ＳＩＧフィールド内のグループＩＤを指示するビット列と空間ストリーム個数を指示するビット列を異なるように解析することができる。ここで、グループＩＤは、ＭＵ−ＭＩＭＯ送信の対象ＳＴＡのグループを指示する識別子であり、空間ストリーム個数は、ＭＵ−ＭＩＭＯ送信の対象ＳＴＡの各々が受信すべき空間ストリーム個数を意味する。
【００６９】
他の例として、ＳＵ−ＭＩＭＯ送信による時、グループＩＤを指示するビット列と空間ストリーム個数を指示するビット列を結合ＩＤ(Ａｓｓｏｃｉａｔｉｏｎ ＩＤ；ＡＩＤ)が設定されたビット列と解析して動作することができる。これを送信ＳＴＡ(ＡＰを含む)の立場で説明すると、送信ＳＴＡがＳＵ−ＭＩＭＯ送信しようとする場合、ＶＨＴ ＳＩＧフィールドにグループＩＤを指示するビット列と空間ストリーム個数を指示するビット列の代わりに結合ＩＤ(Ａｓｓｏｃｉａｔｉｏｎ ＩＤ；ＡＩＤ)を設定して送信することができる。この時、グループＩＤを指示するビット列と空間ストリーム個数を指示するビット列の代わりに設定されて送信される情報として前述したＡＩＤ以外にＢＳＳ ＩＤが含まれることができる。
【００７０】
ＩＥＥＥ８０２.１１標準をサポートするＡＰが結合(ａｓｓｏｃｉａｔｉｏｎ)過程でＳＴＡに割り当てることができるＡＩＤは、１６ビットの長さを有し、１６ビットは、ＬＳＢ１４ビットとＭＳＢ２ビットで構成されることができる。ＡＩＤ値は、１〜２００７の値を有するため、これの表現するためには最小１１ビットが必要である。ＢＳＳ ＩＤは、ＢＳＳの識別子であり、インフラストラクチャＢＳＳの場合、ＢＳＳ ＩＤは、ＡＰのＭＡＣ住所(ａｄｄｒｅｓｓ)であり、６バイトに該当する情報である。このようなＡＩＤ、ＢＳＳ ＩＤは、有することができるビットフィールド(ｂｉｔ ｆｉｅｌｄ)が制約的なＶＨＴ ＳＩＧで全部収容し難い。従って、ハッシュ関数(ｈａｓｈ ｆｕｎｃｔｉｏｎ)を介してビットを減らして特定電力節減(ｐｏｗｅｒ ｓａｖｅ)ＩＤにマッピング(ｍａｐｐｉｎｇ)をして使用することができる。ハッシング(ｈａｓｈｉｎｇ)の一例として、ＡＩＤ又はＢＳＳＩＤのビット一部のみを電力節減ＩＤとして使用することができる。
【００７１】
ＶＨＴ ＳＩＧフィールドに割り当てられたビットフィールドが足りなくてＡＩＤ全部を含んで送信し難い場合、ＡＩＤの一部のみをＶＨＴ ＳＩＧに含ませることができる。例えば、ＡＰが結合過程で割り当てるＡＩＤの１６ビットのうちＬＳＢ(ｌｅａｓｔ ｓｉｇｎｉｆｉｃａｎｔ ｂｉｔ)９ビット、低次の９ビットに該当する部分(ｐａｒｔｉａｌ)ＡＩＤをＶＨＴ ＳＩＧ内に含ませて送信することができる。
【００７２】
前述した送信ＳＴＡの立場でＭＵ−ＭＩＭＯ送信による場合とＳＵ−ＭＩＭＯ送信による場合を分けてＶＨＴＳＩＧフィールドに含まれる情報を異なるようにして送信し、受信ＳＴＡの立場でＭＵ−ＭＩＭＯ送信による場合とＳＵ−ＭＩＭＯ送信による場合を分けてＶＨＴ ＳＩＧフィールドに含まれる情報を異なるようにして解析する方法は、ＳＴＡの電力消費効率を上げるための方法として用いられることができる。
【００７３】
ＳＴＡは、ＶＨＴ−ＳＩＧに含まれて送信されるＡＩＤ、又は部分ＡＩＤを読み取って自身のＡＩＤ又は部分ＡＩＤと一致しないと、自身に不要なＰＬＣＰフレームであると判断し、以後送信されるフィールドに対するデコーディング無しにスリープモードに切り替えることができる。
【００７４】
他の実施例として、ＡＩＤとＢＳＳを区分することができる指示子(一例として、ＢＳＳ ＩＤ)組合せの情報をＶＨＴ ＳＩＧフィールドに含ませて送信し、特定ＢＳＳにあるＡＩＤを有しているＳＴＡのみデータを受信し、該当事項がないＳＴＡは、スリープモードに切り替えることができる。これはＯＢＳＳ環境で有用に使われることができ、以後関連図面と共に詳細に説明する。
【００７５】
図９は、ＶＨＴ ＳＩＧフィールドに部分ＡＩＤを含ませて送信する一例を示す。
【００７６】
図９の例で、ＡＰは、ＳＴＡ３にＰＬＣＰフレーム９００を送信する。ＰＬＣＰフレーム９００のＰＬＣＰヘッダに含まれるＶＨＴ ＳＩＧ１フィールドには部分ＡＩＤ９１０が含まれる。部分ＡＩＤは、前述したように、ＡＰが各ＳＴＡとの結合手順で各ＳＴＡに割り当てたＡＩＤの一部ビットを取って得られたものである。図９の例で、部分ＡＩＤ９１０は、Ａに設定されており、これはＳＴＡ３のＡＩＤのＬＳＢ９ビットの値である。言い換えれば、図９の例で、ＡＰは、ＶＨＴ ＳＩＧ１フィールドにＳＴＡ３の部分ＡＩＤを含ませて送信する。
【００７７】
部分ＡＩＤがＡであるＳＴＡ３を除外したＳＴＡ１及びＳＴＡ２は、ＶＨＴ ＳＩＧ１以後送信されるフィールドの情報を読み取る必要がないため、スリープモードに切り替えることができる。
【００７８】
他の一例として、部分ＡＩＤは、ＶＨＴ ＳＩＧ２に含まれて送信されることもできる。このような場合、ＳＴＡ１及びＳＴＡ２は、ＶＨＴＳＩＧ２まで読み取って自身に不要なフレームであると確認した後、スリープモードに切り替えることができる。
【００７９】
本発明の実施例による部分ＡＩＤの活用のために、ＡＰは、ＳＴＡと結合手順を経る時、ＡＩＤ割当において部分ＡＩＤとして使われることができるビットに対しては互いに異なるＳＴＡに重複しないように付与する。例えば、ＡＩＤの前のＮビットを部分ＡＩＤとして活用する場合、ＡＰは、ＳＴＡとの結合手順でＡＩＤを割り当てるにあたって２Ｎ個のＳＴＡまでは互いに異なるＮビットを有することができるようにする。１１ビットに区分することができるＳＴＡの個数は、２００７個であるが、ＡＰがこの程度のＳＴＡを同時に管理することは非現実的であるため、２Ｎが現実的にＡＰが同時に管理するＳＴＡの数より大きい場合、ＡＩＤの全体１１ビットを使用せずにＮビットを使用することが可能である。以下、このようなＮビットを部分ＡＩＤ又は電力節減ＩＤと定義して使用する。
【００８０】
もし、ＡＰが２Ｎ個(電力節減ＩＤで管理することができるＳＴＡの数)以上のＳＴＡを管理する場合、２Ｎ＋１番目にＡＰと結合(ａｓｓｏｃｉａｔｉｏｎ)するＳＴＡは、既存に使われている電力節減ＩＤを共有することができる。この時、可能の限り複数のＳＴＡが一つの電力節減ＩＤを共有しないようにする。２Ｎ個のＳＴＡがＡＰと結合される時、ＳＴＡ１＝電力節減ＩＤ１、ＳＴＡ２＝電力節減ＩＤ２,……,ＳＴＡ２Ｎ＝電力節減ＩＤ、ＳＴＡ２Ｎ＋１＝電力節減ＩＤ１、ＳＴＡ２Ｎ＋２＝電力節減ＩＤ１に設定したと仮定する。このように、一つの電力節減ＩＤ１を３個のＳＴＡが共有する場合、ＡＰがＳＴＡ１にデータを送信するために電力節減ＩＤ１をＶＨＴ ＳＩＧに含ませて送信すると、自身に不要なデータにも拘わらず、ＳＴＡ２Ｎ＋１とＳＴＡ２Ｎ＋２がスリープモードに切り替えることができないためである。
【００８１】
ＭＵ−ＭＩＭＯをサポートする時においても、電力節減ＩＤは、有用に使われることができる。ＡＰがＭＵ−ＭＩＭＯの特定空間ストリームをＳＴＡ１に送信しようとする時、ＳＴＡ１、ＳＴＡ２、ＳＴＡ３が自身に割り当てられた空間ストリームと判断して動作することができる。これは基本的にＳＴＡは、自身に送信される時期を知ることができない無線フレームを受けるために、基本的に受信待機状態であるＲＸモードで動作するためである。このような問題は、送信される無線フレームに物理階層水準で無線フレームが自身のために送信されるものであるかを判断することができる識別情報がないため、ＣＣＡに搬送波が検出された全ての無線フレームに対して受信した後、復調及びデコーディングを実行するためである。
【００８２】
この時、ＰＬＣＰフレームのＶＨＴ ＳＩＧフィールドに該当ＰＬＣＰフレームがどのＳＴＡのためのものであるかを指示する情報を含む場合、前述した問題を解決することができる。この時、ＶＨＴ ＳＩＧフィールドは、個別ＳＴＡに対する制御情報を含んで送信される図９のＶＨＴ ＳＩＧ２フィールドである。図９の例により説明すると、ＳＴＡ特定(ＳＴＡ ｓｐｅｃｉｆｉｃ)ＳＩＧフィールドということができるＶＨＴ ＳＩＧ２に含まれて送信されたＳＴＡ３のＡＩＤを意味する電力節減ＩＤを読み取ったＳＴＡ１とＳＴＡ２は、スリープモードに切り替えることによって消費電力を節減できる。
【００８３】
ＷＬＡＮシステムで基本的にＳＴＡは常時受信待機状態であるＲＸモードを維持するため、無線フレームがある空間ストリームを介して送信されると、複数のＳＴＡが同時に空間ストリームを介して送信される無線フレームを復調及びデコーディングしようとする。ＭＵ−ＭＩＭＯ送信の場合、ＶＨＴ ＳＩＧ１は、全てのＳＴＡに対する共通情報を含むＣｏｍｍｏｎ ＶＨＴ ＳＩＧということができるため、ＡＰは、個別ＳＴＡ別にスリープモードを切り替えるか否かを決定することができるように、ＳＴＡ特定(ＳＴＡ ｓｐｅｃｉｆｉｃ)ＶＨＴ ＳＩＧということができるＶＨＴ ＳＩＧ２フィールドに電力節減ＩＤを含ませて送信することである。
【００８４】
前述のＢＳＳ環境で使われた電力節減方法がそのままＯＢＳＳ環境に適用される場合、ＯＢＳＳを構成する複数のＢＳＳのＢＳＡがオーバーラップされる領域で動作するＳＴＡ立場で複数個のＡＰが送信した電力節減ＩＤ或いはグループＩＤなどの物理階層水準でのＳＴＡ識別情報によるスリープモードへの切り替えを実行することができないこともある。グループＩＤを例示すると、図１０のような状況が発生することができる。
【００８５】
図１０は、ＯＢＳＳ環境で発生することができる問題点を例示している。
【００８６】
図１０の例で、ＢＳＳ１のＡＰ１は、ＳＴＡ１とＳＴＡ２にグループＩＤ Ａを、ＳＴＡ３とＳＴＡ４にグループＩＤ Ｂを割り当てた。ＡＰがグループＩＤ Ａを割り当てたＳＴＡ１とＳＴＡ２にデータを送信しているため、ＳＴＡ３とＳＴＡ４はスリープモードに切り替えるべきである。然しながら、ＳＴＡ４の場合、ＢＳＳ１とＢＳＳ２のＢＳＡがオーバーラップされた領域で動作しているため、スリープモードへの切り替えが行われないこともある。偶然に、ＢＳＳ２のＡＰ２がグループＩＤ Ｂを割り当てたＳＴＡ５とＳＴＡ６にデータを送信しているため、ＳＴＡ４は自身に送信されるデータでないにもかかわらず、継続してアウェイク状態(ａｗａｋｅｍｏｄｅ)に動作する。
【００８７】
このような不要な電力消耗を減らすために、ＢＳＳ ＩＤをＶＨＴＳＩＧに含ませることを提案する。然しながら、４８ビットのＢＳＳ ＩＤをそのままＶＨＴ ＳＩＧに含ませることは、ＶＨＴ ＳＩＧフィールドが有するビットフィールドの制限のため、現実的に難しい。本発明の一実施例によると、このような問題点を解決するために、ＣＲＣマスキングを用いたり、或いはＢＳＳ ＩＤを代替することができるＢＳＳ識別情報をＶＨＴ ＳＩＧフィールドに含ませることができる。ＢＳＳ ＩＤを代替することができるＢＳＳ識別情報は、ＯＢＳＳを構成するＢＳＳを識別することができるようにするものであり、現実的にＯＢＳＳ環境を造成することができるＡＰ個数を考慮すると、２〜３ビット内外で構成されることができる。以下、ＢＳＳ ＩＤを代替することができるＢＳＳ識別情報をローカル(Ｌｏｃａｌ)ＡＰ ＩＤと命名する。ローカルＡＰ ＩＤは、ＢＳＳ ＩＤより少ないビットによりＢＳＳを識別することができるようにする。
【００８８】
ローカルＡＰ ＩＤは、ＢＳＳ ＩＤと共にＡＰが周期的に送信するビーコン(ｂｅａｃｏｎ)フレームを介して送信されることができ、図１１は、本発明の実施例によるローカルＡＰ ＩＤ１１００を含むビーコンフレームのフレームフォーマットの一例を示す。
【００８９】
ローカルＡＰ ＩＤは、ＢＳＳ ＩＤをハッシングして得て全てのＳＴＡとＡＰとの間に約束をして使われることができる。ＢＳＳＩＤをハッシングしてローカルＡＰ ＩＤを得る一例として、ＢＳＳ ＩＤのビットフィールドの一部のみをローカルＡＰ ＩＤとして使用することができる。
【００９０】
グループＩＤに加えてＢＳＳ ＩＤ或いはローカルＡＰ ＩＤをＶＨＴＳＩＧフィールドに含ませて送信し、１次的にグループＩＤを用いて他のグループＩＤのＳＴＡをスリープモードに切り替えるようにし、２次的にＢＳＳ ＩＤ或いはローカルＡＰ ＩＤを用いて他のＢＳＳのＳＴＡをスリープモードに切り替えるようにし、前述したＯＢＳＳ環境で動作する時の問題を解決することができる。この時、グループＩＤは、ＶＨＴ ＳＩＧ１に含まれて送信され、ＢＳＳ ＩＤ(或いは、Ｌｏｃａｌ ＡＰＩＤ)は、ＶＨＴ ＳＩＧ２に含まれて送信することができる。
【００９１】
図１２は、ＳＴＡの消費電力節減のための無線フレーム受信アルゴリズムを示す。
【００９２】
ＳＴＡは、ＶＨＴ ＳＩＧ１フィールドを検出/デコーディングした後、ＣＲＣチェック結果、エラーが発見されない場合(ＣＲＣ ＯＫ)、ＶＨＴ長さ(ｌｅｎｇｔｈ)に対する情報を得ることができる。この時、スリープモードに切り替えるか否かに対する情報が含まれていると、データを受信しないＳＴＡは、スリープモードに切り替えることができる(例えば、ＵＬ送信の場合)。ＶＨＴ ＳＩＧ２に対する検出/デコーディング後、ＣＲＣチェック結果、エラーが発見されない場合(ＣＲＣ ＯＫ)、データを受信しないＳＴＡは、スリープモードに切り替えることができる。ＶＨＴ ＳＩＧ２のＣＲＣチェック結果、エラーが発見される場合(ＣＲＣ ｆａｉｌ)、ＳＴＡは、既にＶＨＴ ＳＩＧ１から長さ(Ｌｅｎｇｔｈ)情報を得たため、ＮＡＶ(ＮｅｔｗｏｒｋＡｌｌｏｃａｔｉｏｎ Ｖｅｃｔｏｒ)設定が可能であり、ＮＡＶが設定された期間中スリープモードに動作することができる。
【００９３】
図９及び図１０と共に説明した本発明の実施にによると、ＡＩＤ、部分ＡＩＤ、ＢＳＳ ＩＤ、及びローカルＡＰ ＩＤは、ＶＨＴＳＩＧ１又はＶＨＴ ＳＩＧ２フィールドに含まれて送信されることができる。他の方法として、ＡＩＤ、部分ＡＩＤ、ＢＳＳ ＩＤ、及びローカルＡＰ ＩＤを用いてＶＨＴＳＩＧ１又はＶＨＴ ＳＩＧ２フィールドに含まれるＣＲＣにマスキングして送信されることができる。
【００９４】
ＶＨＴ ＳＩＧ１フィールドにはアウェイク状態に動作しなければならないＳＴＡを指示する情報が含まれ、ＶＨＴ ＳＩＧ２フィールドにはＶＨＴ ＳＩＧ１フィールドで指示するアウェイク状態に動作しなければならないＳＴＡのうちデータを復調/デコーディングすべきデータ受信ＳＴＡを指示する情報を含むことができる。
【００９５】
図１３は、本発明の一実施例によるＳＵ−ＭＩＭＯ送信をサポートするＰＬＣＰフレームフォーマットの一例を示す。
【００９６】
ＳＵ−ＭＩＭＯ送信をサポートするための制御情報が図９のＰＬＣＰフレーム９００のＶＨＴ ＳＩＧ１フィールドに全部含まれることができると、ＶＨＴ ＳＩＧ２フィールドを送信することは不要な情報を送信することであり、オーバーヘッド(ｏｖｅｒｈｅａｄ)として作用することができる。従って、ＳＵ−ＭＩＭＯ送信による場合、ＶＨＴ ＳＩＧ２フィールドは省略されることができる。
【００９７】
ただし、多様な環境でＳＵ−ＭＩＭＯを効率的にサポートするために追加に付随的な情報の送信が必要な場合、ＶＨＴ ＳＩＧ２フィールドを省略せずに送信し、送信されるべき付随的な情報をＶＨＴ ＳＩＧ２フィールドに含めて送信することができる。
【００９８】
図１３は、１番目のＰＬＣＰフレーム１３１０は、ＶＨＴ ＳＩＧ１フィールドにＳＵ−ＭＩＭＯ送信に必要な全ての制御情報を含ませて送信し、ＶＨＴ ＳＩＧ２フィールドを省略する例を示す。また、図１３は、２番目のＰＬＣＰフレーム１３２０は、ＶＨＴＳＩＧ１フィールドにＳＵ−ＭＩＭＯ送信に必要な制御情報を含ませて送信し、ＶＨＴ ＳＩＧ１フィールドのビットフィールドが足りなくてＶＨＴＳＩＧ１フィールドを介して送信されていない情報又は付随的に提供されることができる情報をＶＨＴ ＳＩＧ２フィールドに含ませて送信する例を示す。
【００９９】
図１３の例のように、ＳＵ−ＭＩＭＯ送信において、ＶＨＴ ＳＩＧ２フィールドを含ませるか否かが選択的な場合、ＰＬＣＰフレームがＶＨＴ ＳＩＧ２フィールドを含んでいるか否かを指示する情報が送信されなければならない。図１３の例で、ＶＨＴ ＳＩＧ１フィールドに含まれて送信されるユーザ特定(ｕｓｅｒ−ｓｐｅｃｉｆｉｃ)ＶＨＴ ＳＩＧビット１３１５及びユーザ特定ＶＨＴ ＳＩＧビット１３２５は、ＶＨＴＳＩＧ２フィールドを含むか否かを指示する。２番目のＰＬＣＰフレーム１３２０のＶＨＴ ＳＩＧ１フィールドに含まれるユーザ特定ＶＨＴ ＳＩＧビット１３２５は１に設定されることによって、ＰＬＣＰフレーム１３２０がＶＨＴ ＳＩＧ２フィールドを含むことを知らせる。２番目のＰＬＣＰフレーム１３２０のＶＨＴ ＳＩＧ２フィールドに含まれるＡＩＤ又は電力節減ＩＤ(ｐｏｗｅｒ ｓａｖｅ ＩＤ)１３２７は、ＶＨＴ ＳＩＧ２に含まれて送信されることができる付加情報の一例として図示したものである。
【０１００】
図１３の実施例によるフレーム構成及び送信方法は、限定された状況でＭＵ−ＭＩＭＯ送信の場合にも適用されることができる。ＭＵ−ＭＩＭＯ送信をサポートする時、ＶＨＴ ＳＩＧ２フィールドにはＭＵ−ＭＩＭＯ送信の目的ＳＴＡの各々に対する個別制御情報が含まれる。ＶＨＴ ＳＩＧ２フィールドに含まれる個別制御情報は、各々のＳＴＡに送信するデータのＭＣＳ等の情報である。然しながら、チャネル環境が安定していると、データフレームを送信する時に使われたＭＣＳが変わらない。このように、ＶＨＴ ＳＩＧ２フィールドに含まれて送信される情報が一定期間中変わらない場合、ユーザ特定ＶＨＴ ＳＩＧビットを０にセッティングし、ＶＨＴ ＳＩＧ１フィールドのみ含まれたＰＬＣＰフレームを送信することができる。即ち、ＭＵ−ＭＩＭＯ送信の場合にもＶＨＴ ＳＩＧ２フィールドを介して送信する情報が変更されない場合又は一定期間同一に維持された場合、該当情報を最初送信以後変更されない期間中ＳＵ−ＭＩＭＯ送信時と同様に図１３のＰＬＣＰフレーム１３１０のフォーマットに送信することができる。
【０１０１】
図７と共に説明した実施例ではＵＬ送信の場合、送信ＳＴＡを除外した他のＳＴＡがオーバーヒアリングを持続すべきであるか否かを指示する情報(非オーバーヒアリング(ｎｏｎ−ｏｖｅｒｈｅａｒｉｎｇ)ｂｉｔ)をＶＨＴ ＳＩＧ１フィールドに含ませて送信する方法を提案した。また、図９と共に説明した実施例でＶＨＴ ＳＩＧ１フィールドに対象ＳＴＡの識別のための情報としてＮビットの部分ＡＩＤが含まれて送信されることができることを説明した。本発明の他の実施例によると、ＶＨＴ ＳＩＧ１フィールドにＮビットの部分ＡＩＤが含まれて送信される時、Ｎビットの部分ＡＩＤに図７と共に説明した他のＳＴＡがオーバーヒアリングを持続すべきであるか否かを指示する情報の送信を代替することができる。言い換えれば、非オーバーヒアリングビットの送信をＮビットの部分ＡＩＤ送信に代替することができる。
【０１０２】
部分ＡＩＤがＮビット或いはこれに相応することができるＭ個の状態(ｓｔａｔｅ)で表現されることができると、このうち一部状態を非オーバーヒアリングビットのような用途として使用することができる。Ｍ個の状態のうち一部状態をＳＴＡがＡＰに送信する場合を指示することに割り当てると、現在該当ＰＬＣＰを含んでいるＳＴＡは、自身がＡＰでないため、全部一括的に電力節減モードを行なうことができるという長所がある。
【０１０３】
また、ＡＰがＳＴＡにデータをブロードキャスト送信をする場合には全てのＳＴＡが該当データを受信すべきである。Ｍ個の状態のうち一部状態をＡＰ又は任意のＳＴＡが不特定複数のＳＴＡ又はＡＰにデータを送信するブロードキャスト送信であることを指示することと割り当てて使用することができる。
【０１０４】
又は、ブロードキャスティングされるデータであることを知らせる情報又は受信対象がＡＰであることを知らせる情報を含んだビット/フィールドをＰＬＣＰヘッダに含ませて送信することができる。
【０１０５】
受信対象を指示する受信対象指示子をＰＬＣＰヘッダ(一例として、ＶＨＴ ＳＩＧフィールド)に含ませて受信対象でないＳＴＡ又はＡＰは、スリープモードに切り替えるようにすることができる。表２は、受信対象指示子設定の一例を示す。
【０１０６】
【表２】
0005587424.tif 000003
受信対象を指示する受信対象指示子がＶＨＴ ＳＩＧフィールドに含まれ、電力節減を目的とする追加情報がＰＬＣＰヘッダにさらに含まれる場合には、受信対象指示子によって電力節減を目的とする追加情報を異なるように解析することができる。例えば、受信対象指示子が指示する対象がＡＰである時には電力節減を目的とする追加情報をＡＰに関する情報と解析し、受信対象指示子が指示する対象がＳＴＡである時には電力節減を目的とする追加情報をＳＴＡに関する情報と解析する。一例として、受信対象指示子が受信対象をＳＴＡにより指示しており、電力節減を目的とする追加情報としてＡＩＤ又は部分ＡＩＤが送信された時、これを受信したＳＴＡは、追加情報として送信されたＡＩＤ又は部分ＡＩＤをＡＰでないＳＴＡのＡＩＤ又は部分ＡＩＤと解析する。表３は、受信対象指示子設定の他の例である。
【０１０７】
【表３】
0005587424.tif 000004
一方、一般的に、ＡＰは、固定された装置(ｆｉｘｅｄ ｄｅｖｉｃｅ)であり、電力効率に対する考慮が少なかった。図１４のようにＳＴＡに送信しなければならないＤＬデータが存在する場合、ＡＰは、ＳＴＡがアウェイク状態に動作していることが確認されると、データを送信する。例えば、ＡＰがビーコンフレームを介してＳＴＡに送信しなければならないデータがあることを知らせると、ＳＴＡは、トリガ(ｔｒｉｇｇｅｒ)を送ってアウェイク状態に動作していることをＡＰに知らせた後、ＡＰからデータの送信を受ける。ＡＰがこれ以上送るデータがない場合、ＥＯＳＰ(Ｅｎｄ ｏｆ Ｓｅｒｖｉｃｅ ｐｅｒｉｏｄ)をＳＴＡに送信すると、ＳＴＡは、再びスリープモードに動作する。ＡＰは、ＳＴＡに送るデータがないとしても、新たなＳＴＡと結合(ａｓｓｏｃｉａｔｉｏｎ)する等の動作のために定期的にビーコンフレームを送信する。ＳＴＡがＡＰに送らなければならないＵＬデータがある場合、ＡＰは、常時アウェイク状態で動作しているため、ＣＳＭＡ/ＣＡ規則によってチャネルがアイドル(ＩＤＬＥ)状態であることを確認すると、常時ＵＬデータを送信することができた。
【０１０８】
然しながら、最近、スマートフォン、ネットブック、ＭＩＤ等のモバイルインターネット機器が速く普及されつつ、既存有線網や家庭内Ｗｉ−Ｆｉ等の固定されたＡＰによっては消費者が満たすほどのサービスを提供することができない。その結果、どこでも自由に無線サービスを楽しむことができるモバイル(ｍｏｂｉｌｅ)ＡＰが注目を浴びている。モバイルＡＰの場合、ＳＴＡのように制限された電力を用いて動作すべきであるため、電力消費効率に対する考慮が必要である。従って、ＡＰのための電力節減方法に対する技術導入が必要である。
【０１０９】
既存のＡＰは、常時活性化モードに動作した。ＡＰは、常時活性化モードに動作することによって発生する不要なＡＰの電力消費を減らすために、ＳＴＡがＡＰにＵＬデータを送信する区間に制限をおくことを提案する。即ち、ＡＰは、ＰＳモードに動作することができ、アウェイク状態とスリープモードとの間の切り替えが行われることができる。ＳＴＡがＡＰに送るデータがあると、ＡＰがアウェイク状態である時にバッファリングしておいたＵＬデータをＡＰに送信する。ＡＰは、ＳＴＡに自身がアウェイク状態に動作することを知らせるための管理フレーム(ｍａｎａｇｅｍｅｎｔ ｆｒａｍｅ)を送信しなければならい。図１５は、その一例を示す。図１４の例で、ＡＰは、自身がアウェイク状態に動作していることを知らせるためにビーコンフレームを用いる。ＡＰは、ビーコンフレームを定期的にブロードキャスティングするため、ビーコン間隔(ｉｎｔｅｒｖａｌ)周期に合わせてＡＰがアウェイク状態に動作することができる。即ち、ＳＴＡ１０は、ビーコンフレームを受信してＡＰがアウェイク状態に動作していることを知ることができ、この時、バッファリングしておいたＵＬデータをＡＰに送信することができる。
【０１１０】
ＡＰがバッファリングしておいたＤＬデータを有していると、ビーコンフレームを介してこれをＳＴＡに知らせる。アウェイク状態に動作しているＳＴＡは、トリガフレームを送った後、ＡＰからデータの送信を受ける。一方、ＳＴＡがバッファリングしておいたＵＬデータを有していると、ＡＰがアウェイク状態であることを確認し、データを送信することができる。例えば、ＡＰのビーコンフレームを読み取ったＳＴＡは、ＡＰがアウェイク状態に動作していることを知ることができる。ＡＰは、ビーコンフレームを送信後、一定時間中アウェイク状態を維持した後、ＵＬデータ送信がないと、スリープモードに入ってＡＰの電力消費効率を増加させることができる。一方、ＡＰがＳＴＡに送るバッファリングされたＤＬデータを有しており、ＳＴＡはＡＰに送るバッファリングされたＵＬデータを有している場合、ＣＳＭＡ/ＣＡを介してデータ送信の主体が決定される。即ち、バックオフ間隔(ｂａｃｋｏｆｆ ｉｎｔｅｒｖａｌ)によってＤＬデータの送信を受けるために、ＳＴＡは、トリガをＡＰに送信したり、或いはＡＰにＵＬデータを送信することができる。
【０１１１】
図１６は、ＡＰの消費電力を減らすための本発明の実施例によるＡＰとＳＴＡの動作を示す。
【０１１２】
ＡＰの電力効率を上げるためには、ビーコンフレームの送信周期を増やすことができる。その結果、ＡＰがＳＴＡにデータを送信することができる区間が減るようになる。併せて、ビーコンフレームの周期によってＵＬデータの送信遅延が大きくなることができる。このような問題を改善するために、本発明の実施例によると、図１６の例のようにＳＴＡのバッファリングされたＵＬデータをＤＬビーコンフレーム間に送ることができる。ＳＴＡは、ＡＰから送信されるビーコンフレーム無しにＡＰがアウェイク状態に動作しているか否かを知ることができないため、ＲＴＳフレームをＡＰに送信し、それに対する応答としてＣＴＳフレームを受けると、その後ＵＬデータを送信する。この時、ＡＰは、ビーコンフレームを送信する時以外にも、周期的にアウェイク状態に動作するが、ビーコンフレームを送信しないため、図１４と共に説明した実施例に比べてＡＰの電力消費効率を増加させつつデータ送信の遅延を減らすことができる。
【０１１３】
図１７は、ＡＰの消費電力を減らすための本発明の実施例によるＡＰとＳＴＡの動作の他の例を示す。
【０１１４】
図１６の実施例ではＳＴＡがＡＰとＲＴＳフレーム/ＣＴＳフレーム交換を介してＡＰがアウェイク状態に動作するか否かを確認した後、ＵＬデータを送信することができた。この時、ＡＰがアウェイク状態でないと、ＳＴＡはＲＴＳのみを一方的に送信することによって不要な電力を消費することができる。然しながら、ＳＴＡは、ＡＰにＳＴＡがアウェイク状態に動作する時点に対する情報を送信すると、ＡＰは、ＳＴＡがアウェイクする時間に合わせてアウェイク状態に動作することができる。図１６の例で、ＡＰは、ビーコン間隔１にアウェイク状態に動作していると仮定する。ＳＴＡ１は、短いビーコンフレーム(ｓｈｏｒｔ ｂｅａｃｏｎ ｆｒａｍｅ)をＡＰがアウェイク状態の時に送信する。この時、短いビーコンフレームにはＳＴＡがどの時期にアウェイク状態になるかに対する情報が含まれる。ＡＰは、短いビーコンフレームを読み取った後、ＳＴＡがアウェイクする区間に合わせてＡＰもアウェイク状態に動作することができる。即ち、ＳＴＡの状態に合わせてビーコン間隔１をビーコン間隔２に調整して動作することができる。
【０１１５】
ＡＰと結合されているＳＴＡが複数である場合、ＡＰは、各ＳＴＡの短いビーコンフレームに送信される情報に基づいて電力節減モード(ｐｏｗｅｒ ｓａｖｅ ｍｏｄｅ)に動作することができる。
【０１１６】
以下、前述した多様な実施例の具現のために、ＶＨＴ ＳＩＧ１及びＶＨＴ ＳＩＧ２に含まれることができる情報をその多様な例と共に説明する。
【０１１７】
【表４】
0005587424.tif 000005
【０１１８】
【表５】
0005587424.tif 000006
表４は、ＳＵ−ＭＩＭＯをサポートするＰＬＣＰフレームのＶＨＴ ＳＩＧフィールドに含まれることができる情報の例を示し、表５は、ＭＵ−ＭＩＭＯをサポートするＰＬＣＰフレームのＶＨＴ ＳＩＧフィールドに含まれることができる情報の例を示す。
【０１１９】
ＭＵ指示がＳＵ−ＭＩＭＯを指示する場合、ＳＴＡは、ＶＨＴＳＩＧ Ａでデータ送信に関連した全ての情報を得ることができるため、ＡＰは、ＶＨＴ ＳＩＧ２を送信しない。ＭＵ指示がＭＵ−ＭＩＭＯを意味すると、ＡＰはペアリングされているＭＵ−ＭＩＭＯの送信目的ＳＴＡが全部読み取らなければならないＶＨＴ長さ、ＭＵ指示、ストリーム数指示(ｓｔｒｅａｍ ｎｕｍｂｅｒ ｉｎｄｉｃａｔｉｏｎ)などのフィールドをＶＨＴ ＳＩＧ１を介して送信し、これを除外した残りの情報は、ペアリングされたＳＴＡの各々に対する制御情報としてＶＨＴＳＩＧ２を介して送信する。表５のように表４で、ＶＨＴ ＳＩＧ１を介して送信された情報がＶＨＴ ＳＩＧ２に移動されたフィールド値は、ＭＵ−ＭＩＭＯ送信に必要なストリーム指示(ｓｔｒｅａｍ ｉｎｄｉｃａｔｉｏｎ)やＧｒｏｕｐ ＩＤなどであり、ＶＨＴ ＳＩＧ１で再解析されることができる。
【０１２０】
ＳＵ−ＭＩＭＯ送信で、ＳＴＡの電力節減効率を増加させるために、表４のＳＵ−ＭＩＭＯ ＶＨＴ ＳＩＧでＶＨＴ長さフィールドを用いて前述した実施例の電力節減ＩＤ(又は、部分ＡＩＤ又はローカルＡＰ ＩＤ)を送信することができる。このような場合ＶＨＴ持続期間(ｄｕｒａｔｉｏｎ)は、Ｌ−ＳＩＧを介して送信することができる。
【０１２１】
ＭＵ−ＭＩＭＯの場合、ＯＢＳＳ環境でＳＴＡの電力節減効率を増加させるために、ローカルＡＰ ＩＤをＶＨＴ ＳＩＧ１やＶＨＴ ＳＩＧ２に含むことができる。ＶＨＴ ＳＩＧ２は、余裕空間があるため、比較的容易にローカルＡＰ ＩＤを含ませて送信することができる。然しながら、ＶＨＴ ＳＩＧ１にローカルＡＰ ＩＤが含まれると、ＶＨＴ ＳＴＦ以後からＳＴＡはスリープモードに切り替えて動作することができるため、ＶＨＴ ＳＩＧ２以後からスリープモードに動作することに比べて効率的である。ＶＨＴＳＩＧ１のＶＨＴ長さやＣＲＣフィールドをローカルＡＰ ＩＤで再解析して使用することができる。
【０１２２】
ＭＵ−ＭＩＭＯの場合であるとしても、ＡＰがＳＴＡにデータを送信するにあたって、ＶＨＴ ＳＩＧ２の情報が変わらない時、ＶＨＴＳＩＧ２送信をしないために、ＶＨＴ ＳＩＧ１にＶＨＴ ＳＩＧ２が含まれるか否かを知らせる指示子が含まれて送信されることができる。
【０１２３】
【表６】
0005587424.tif 000007
【０１２４】
【表７】
0005587424.tif 000008
表５の場合、ＳＴＢＣ、ＦＥＣコーディング、短いＧＩがＶＨＴ ＳＩＧ２に送信される。この時、ＰＬＣＰフレームの構造上、データをデコーディングするためにはＶＨＴ ＳＩＧ２の情報が必要なため遅延が発生することができる。即ち、表７と共にＳＴＢＣ、ＦＥＣコーディング、短いＧＩの一部フィールド或いは全体フィールドがＶＨＴ ＳＩＧ１に送信されなければならない。この時、ＭＵ指示がＭＵ−ＭＩＭＯを意味すると、ＡＰは、ペアリングされているＭＵ−ＭＩＭＯ送信目的ＳＴＡが全部読み取らなければならないＶＨＴ長さ、ＭＵ指示、ストリーム数指示などのフィールドをＶＨＴ ＳＩＧ１に残しおき、具現の便宜のためにＳＴＢＣ、ＦＥＣコーディング、短いＧＩの一部或いは全体フィールドをＶＨＴ ＳＩＧ１に残しおき、残りはＶＨＴ ＳＩＧ２に送信することができる。表６で、表７のＶＨＴＳＩＧＢに移動されたフィールドはＭＵ−ＭＩＭＯ送信に必要なストリーム指示やＧｒｏｕｐ ＩＤなどであり、ＶＨＴ ＳＩＧ１で再解析して使用することができる。この時、必要の場合、ＶＨＴ ＳＩＧ１のＣＲＣフィールドをＭＵ−ＭＩＭＯ送信のために使用することができる。
【０１２５】
ＭＵ−ＭＩＭＯの場合、ＯＢＳＳ環境でＳＴＡの電力節減効率を増加させるために、ローカルＡＰ ＩＤをＶＨＴ ＳＩＧ１やＶＨＴ ＳＩＧ２に含むことができる。ＶＨＴ ＳＩＧ２は、余裕空間があるため、比較的容易にローカルＡＰ ＩＤを含ませて送信することができる。然しながら、ＶＨＴ ＳＩＧ１にローカルＡＰ ＩＤが含まれると、ＶＨＴ ＳＴＦ以後からＳＴＡはスリープモードに切り替えて動作することができるため、ＶＨＴ ＳＩＧ２以後からスリープモードに動作することに比べて効率的である。ＶＨＴＳＩＧ１のＶＨＴ長さやＣＲＣフィールドをローカルＡＰ ＩＤで再解析して使用することができる。
【０１２６】
ＭＵ−ＭＩＭＯの場合であるとしても、ＡＰがＳＴＡにデータを送信するにあたって、ＶＨＴ ＳＩＧ２の情報が変わらない時、ＶＨＴＳＩＧ２送信をしないために、ＶＨＴ ＳＩＧ１にＶＨＴ ＳＩＧ２が含まれるか否かを知らせる指示子が含まれて送信されることができる。
【０１２７】
【表８】
0005587424.tif 000009
【０１２８】
【表９】
0005587424.tif 000010
【０１２９】
【表１０】
0005587424.tif 000011
【０１３０】
【表１１】
0005587424.tif 000012
【０１３１】
【表１２】
0005587424.tif 000013
【０１３２】
【表１３】
0005587424.tif 000014
【０１３３】
【表１４】
0005587424.tif 000015
【０１３４】
【表１５】
0005587424.tif 000016
【０１３５】
【表１６】
0005587424.tif 000017
【０１３６】
【表１７】
0005587424.tif 000018
【０１３７】
【表１８】
0005587424.tif 000019
【０１３８】
【表１９】
0005587424.tif 000020
【０１３９】
【表２０】
0005587424.tif 000021
【０１４０】
【表２１】
0005587424.tif 000022
【０１４１】
【表２２】
0005587424.tif 000023
【０１４２】
【表２３】
0005587424.tif 000024
【０１４３】
【表２４】
0005587424.tif 000025
【０１４４】
【表２５】
0005587424.tif 000026
【０１４５】
【表２６】
0005587424.tif 000027
【０１４６】
【表２７】
0005587424.tif 000028
表８乃至表２７は、ＳＵ−ＭＩＭＯ送信とＭＵ−ＭＩＭＯ送信が同じＰＬＣＰフレームを使用する場合にＶＨＴ ＳＩＧ１、ＶＨＴ ＳＩＧ２に含まれることができる情報の一例を示す。ここで、ＰＳ ＩＤは、前述した多様な実施例での部分ＡＩＤ、ローカルＡＰ ＩＤであり、これはＳＵ−ＭＩＭＯ送信でＳＴＡの電力効率を上げる時に使われることができる。
【０１４７】
ＶＨＴ ＳＩＧフィールドを構成するにあたって、追加的に、次のような事項を考慮することができる。ＩＥＥＥ８０２.１１ｎ無線ＬＡＮシステムでは、ＳＴＢＣ(ｓｐａｃｅ ｔｉｍｅ ｂｌｏｃｋ ｃｏｄｉｎｇ)をサポートする。ＩＥＥＥ８０２.１１ｎ無線ＬＡＮシステムでは、最大４個の空間ストリームを介する送信をサポートし、４Ｔｘの送信ＳＴＡ(ｔｒａｎｓｍｉｔｔｅｒ)の場合、４個のＳＴＳ(ｓｐａｃｅ ｔｉｍｅ ｓｔｒｅａｍ)を有する。ＶＨＴ無線ＬＡＮシステムでスループット(Ｔｈｒｏｕｇｈｐｕｔ)向上のために８Ｔｘ送信ＳＴＡ(ｔｒａｎｓｍｉｔｔｅｒ)をサポートすると、ＳＴＳとＳＳ(ｓｐａｔｉａｌ ｓｔｒｅａｍ)の組合せは、表２８のように構成することができる。
【０１４８】
【表２８】
0005587424.tif 000029
表２８のように、４Ｔｘの場合、ＳＴＢＣフィールドは、３個の状態(ｓｔａｔｅ)を表現することを必要とするため、２ビットで指示可能である。然しながら、８Ｔｘの場合、ＳＴＢＣフィールドは、５個の状態を有することができ、これを表現するためには少なくとも３ビットが必要である。ＶＨＴ ＳＩＧフィールドにこれを収容する余裕がない場合、スループットに大きな影響を及ぼす状態のみをサポートすることによって、ＳＴＢＣフィールドを介して表現しなければならない状態の数を減らすことができる。例えば、ＳＴＳが８個である場合、ＳＴＢＣフィールドが(０,１,２,４)或いは(０,１,３,４)或いは(０,２,３,４)をサポートすると、２ビットのシグナリングのみでＳＴＢＣをサポートすることができる。
【０１４９】
図１８は、本発明の一実施例が具現される無線装置を示すブロック図である。無線装置１８００は、ＡＰ又はＳＴＡである。
【０１５０】
無線装置１８００は、プロセッサ１８１０、メモリ１８２０、及び送受信機１８３０を含む。送受信機１８３０は、無線信号を送信/受信し、ＩＥＥＥ８０２.１１の物理階層が具現される。プロセッサ１８１０は、送受信機１８３０と機能的に連結され、ＩＥＥＥ８０２.１１のＭＡＣ階層及び物理階層を具現する。プロセッサ１８１０が前述した方法のうちＡＰでの動作を処理する時、無線装置１８００は、ＡＰになる。プロセッサ１８１０が前述した方法のうちＳＴＡでの動作を処理する時、無線装置１８００は、ＳＴＡになる。プロセッサ１８１０及び/又は送受信機１８３０は、ＡＳＩＣ(ａｐｐｌｉｃａｔｉｏｎ−ｓｐｅｃｉｆｉｃ ｉｎｔｅｇｒａｔｅｄｃｉｒｃｕｉｔ)、他のチップセット、論理回路及び/又はデータ処理装置を含むことができる。メモリ１８２０は、ＲＯＭ(ｒｅａｄ−ｏｎｌｙ ｍｅｍｏｒｙ)、ＲＡＭ(ｒａｎｄｏｍ ａｃｃｅｓｓ ｍｅｍｏｒｙ)、フラッシュメモリ、メモリカード、格納媒体及び/又は他の格納装置を含むことができる。実施例がソフトウェアで具現される時、前述した技法は、前述した機能を遂行するモジュール(過程、機能など)で具現されることができる。モジュールは、メモリ１８２０に格納され、プロセッサ１８１０により実行されることができる。メモリ１８２０は、プロセッサ１８１０の内部又は外部にあり、よく知られた多様な手段でプロセッサ１８１０と連結されることができる。
【０１５１】
前述した実施例は、多様な態様の例示を含む。多様な態様を示すための全ての可能な組合せを記述することはできないが、該当技術分野の通常の知識を有する者は、他の組合せが可能であることを認識することができる。従って、本発明は、特許請求の範囲内に属する全ての交替、修正及び変更を含む。
【図１】
0005587424.tif 000030
【図２】
0005587424.tif 000031
【図３】
0005587424.tif 000032
【図４】
0005587424.tif 000033
【図５】
0005587424.tif 000034
【図６】
0005587424.tif 000035
【図７】
0005587424.tif 000036
【図８】
0005587424.tif 000037
【図９】
0005587424.tif 000038
【図１０】
0005587424.tif 000039
【図１１】
0005587424.tif 000040
【図１２】
0005587424.tif 000041
【図１３】
0005587424.tif 000042
【図１４】
0005587424.tif 000043
【図１５】
0005587424.tif 000044
【図１６】
0005587424.tif 000045
【図１７】
0005587424.tif 000046
【図１８】
0005587424.tif 000047